(57)【特許請求の範囲】
【請求項１】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられた１以上のイベントタグが付加されており、
該プログラムは、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記テンプレート選択処理において、複数の前記特定タグが抽出されたことに応じて、付加された前記特定タグの数が多い前記テンプレート画像に対応する前記テンプレートオブジェクトを優先して前記表示部に表示させるプログラム。
【請求項２】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
該プログラムは、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグには、重要度が割り当てられており、
該プログラムは、前記テンプレート選択処理において、複数の前記特定タグが抽出されたことに応じて、付加された前記特定タグの重要度が高い前記テンプレート画像に対応する前記テンプレートオブジェクトを優先して前記表示部に表示させるプログラム。
【請求項３】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
該プログラムは、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、引っ越したことを報知するための前記テンプレート画像に付加された引越しタグを含み、
該プログラムは、前記テンプレート選択処理において、前記差出人変更処理が実行され且つ当該差出人変更処理で差出人の住所が変更されたことに応じて、前記引越しタグが付加された前記テンプレート画像に対応する前記テンプレートオブジェクトを優先して前記表示部に表示させ、
特定の地域を連想させるデザインの前記テンプレート画像には、当該地域を示す地域タグが付加されており、
該プログラムは、前記テンプレート選択処理において、変更後の差出人の住所を含む地域を示す前記地域タグが付加された前記テンプレート画像に対応する前記テンプレートオブジェクトを優先して前記表示部に表示させるプログラム。
【請求項４】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
該プログラムは、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、引っ越したことを報知するための前記テンプレート画像に付加された引越しタグを含み、
該プログラムは、前記テンプレート選択処理において、前記差出人変更処理が実行され且つ当該差出人変更処理で差出人の住所が変更されたことに応じて、前記引越しタグが付加された前記テンプレート画像に対応する前記テンプレートオブジェクトを優先して前記表示部に表示させ、
前記記憶部は、
地域を示す地域タグが対応づけられた部品画像を示す部品データと、
複数の前記テンプレート画像データそれぞれに対応づけられており、前記部品画像を合成可能な当該テンプレート画像上の部品領域を示す領域情報と、を記憶しており、
該プログラムは、
前記編集処理において、
前記領域情報で示される前記部品領域を選択するユーザ操作を前記操作部が受付可能な状態で、選択された前記テンプレート画像を前記表示部に表示させる第１プレビュー処理と、
前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、
前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理と、を前記コンピュータに実行させ、
前記部品選択処理において、変更後の差出人の住所を含む地域を示す前記地域タグが付加された前記部品画像に対応する前記部品オブジェクトを優先して前記表示部に表示させるプログラム。
【請求項５】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
該プログラムは、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、結婚したことを報知するための前記テンプレート画像に付加された結婚タグを含み、
該プログラムは、前記テンプレート選択処理において、前記差出人変更処理が実行され且つ当該差出人変更処理で差出人の姓が変更されたこと或いは差出人の配偶者の名が追加されたことに応じて、前記結婚タグが付加された前記テンプレート画像に対応する前記テンプレートオブジェクトを優先して前記表示部に表示させ、
前記出力画像は、通信物の通信面に記録されるものであり、
家族構成に対応する数及び大きさの図形が表された画像を含む前記テンプレート画像には、当該画像で表された家族構成を示す家族タグが付加されており、
該プログラムは、前記テンプレート選択処理において、変更後の家族構成を示す前記家族タグが付加された前記テンプレート画像に対応する前記テンプレートオブジェクトを優先して前記表示部に表示させるプログラム。
【請求項６】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
該プログラムは、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、子供が生まれたことを報知するための前記テンプレート画像に付加された出産タグを含み、
該プログラムは、前記テンプレート選択処理において、前記差出人変更処理が実行され且つ当該差出人変更処理で差出人の子供の名が追加されたことに応じて、前記出産タグが付加された前記テンプレート画像に対応する前記テンプレートオブジェクトを優先して前記表示部に表示させ、
前記出力画像は、通信物の通信面に記録されるものであり、
家族構成に対応する数及び大きさの図形が表された画像を含む前記テンプレート画像には、当該画像で表された家族構成を示す家族タグが付加されており、
該プログラムは、前記テンプレート選択処理において、変更後の家族構成を示す前記家族タグが付加された前記テンプレート画像に対応する前記テンプレートオブジェクトを優先して前記表示部に表示させるプログラム。
【請求項７】
前記出力画像は、通信物である年賀状の通信面に記録されるものであり、
前記家族構成に対応する数及び大きさの図形が表された画像は、干支動物が表された干支画像である請求項５または６に記載のプログラム。
【請求項８】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
該プログラムは、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、結婚したことを報知するための前記テンプレート画像に付加された結婚タグを含み、
該プログラムは、前記テンプレート選択処理において、前記差出人変更処理が実行され且つ当該差出人変更処理で差出人の姓が変更されたこと或いは差出人の配偶者の名が追加されたことに応じて、前記結婚タグが付加された前記テンプレート画像に対応する前記テンプレートオブジェクトを優先して前記表示部に表示させ、
前記記憶部は、
撮影日時を示す日時タグが付加されており、ユーザによって撮影された写真である部品画像を示す部品データと、
複数の前記テンプレート画像データそれぞれに対応づけられており、前記部品画像を合成可能な当該テンプレート画像上の部品領域を示す領域情報と、を記憶しており、
該プログラムは、
前記編集処理において、
前記領域情報で示される前記部品領域を選択するユーザ操作を前記操作部が受付可能な状態で、選択された前記テンプレート画像を前記表示部に表示させる第１プレビュー処理と、
前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、
前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理と、を前記コンピュータに実行させ、
前記部品選択処理において、前記差出人変更処理が実行され且つ当該差出人変更処理で家族構成が変更された日時が前記差出人情報に追加されたことに応じて、当該日時以降の前記日時タグが付加された前記部品画像に対応する前記部品オブジェクトを優先して前記表示部に表示させるプログラム。
【請求項９】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
該プログラムは、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、子供が生まれたことを報知するための前記テンプレート画像に付加された出産タグを含み、
該プログラムは、前記テンプレート選択処理において、前記差出人変更処理が実行され且つ当該差出人変更処理で差出人の子供の名が追加されたことに応じて、前記出産タグが付加された前記テンプレート画像に対応する前記テンプレートオブジェクトを優先して前記表示部に表示させ、
前記記憶部は、
撮影日時を示す日時タグが付加されており、ユーザによって撮影された写真である部品画像を示す部品データと、
複数の前記テンプレート画像データそれぞれに対応づけられており、前記部品画像を合成可能な当該テンプレート画像上の部品領域を示す領域情報と、を記憶しており、
該プログラムは、
前記編集処理において、
前記領域情報で示される前記部品領域を選択するユーザ操作を前記操作部が受付可能な状態で、選択された前記テンプレート画像を前記表示部に表示させる第１プレビュー処理と、
前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、
前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理と、を前記コンピュータに実行させ、
前記部品選択処理において、前記差出人変更処理が実行され且つ当該差出人変更処理で家族構成が変更された日時が前記差出人情報に追加されたことに応じて、当該日時以降の前記日時タグが付加された前記部品画像に対応する前記部品オブジェクトを優先して前記表示部に表示させるプログラム。
【請求項１０】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、当該テンプレート画像のデザイン上のカテゴリを示すカテゴリタグが付加されており、
該プログラムは、
前記出力処理において、前記出力画像に含まれる前記テンプレート画像に付加された前記カテゴリタグを、直近カテゴリタグとして前記記憶部に記憶させ、
前記テンプレート選択処理において、前記直近カテゴリタグが付加された前記テンプレート画像に対応する前記テンプレートオブジェクトを、前記直近カテゴリタグと異なる前記カテゴリタグが付加された前記テンプレート画像に対応する前記テンプレートオブジェクトより優先して前記表示部に表示させるプログラム。
【請求項１１】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記差出人情報は、
前記差出人画像の生成に用いられる複数の基本情報と、
複数の前記基本情報それぞれに対応づけられた付帯情報と、を含み、
該プログラムは、前記差出人変更処理において、
複数の前記基本情報の１つの変更を指示するユーザ操作を前記操作部が受付可能な状態で、複数の前記基本情報を前記表示部に一覧表示させる第１変更処理と、
前記基本情報の変更を指示するユーザ操作を前記操作部が受け付けたことに応じて、当該基本情報に対応づけられた前記付帯情報の入力を指示するユーザ操作を前記操作部が受付可能な状態で、当該付帯情報を前記表示部に表示させる第２変更処理と、を前記コンピュータに実行させるプログラム。
【請求項１２】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記記憶部は、複数のイベントを示すイベント識別情報を、当該イベントの発生に伴って変更されるべき前記差出人情報と対応づけて記憶しており、
該プログラムは、前記差出人変更処理において、
複数の前記イベント識別情報の１つを選択するユーザ操作を前記操作部が受付可能な状態で、複数の前記イベント識別情報を前記表示部に一覧表示させるイベント選択処理と、
前記イベント識別情報を選択するユーザ操作を前記操作部が受け付けたことに応じて、当該イベント識別情報で示される前記イベントに対応づけられた前記差出人情報の変更を指示するユーザ操作を前記操作部に受け付けさせる変更受付処理と、を前記コンピュータに実行させ、
前記テンプレート画像には、前記差出人変更処理で実行可能な変更に関連づけられたイベントタグが付加されており、
該プログラムは、
前記差出人変更処理において、前記イベント選択処理で選択された前記イベント識別情報に対応する前記イベントタグである特定タグ、及び前記変更受付処理で変更された前記差出人情報を前記記憶部に記憶させ、
前記テンプレート選択処理において、前記差出人変更処理が実行されたことに応じて、前記記憶部に記憶された前記特定タグが付加された前記テンプレート画像に対応する前記テンプレートオブジェクトを、前記特定タグが付加されていない前記テンプレート画像に対応する前記テンプレートオブジェクトより優先して前記表示部に表示させるプログラム。
【請求項１３】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記記憶部は、複数のイベントを示すイベント識別情報を、当該イベントの発生に伴って変更されるべき前記差出人情報と対応づけて記憶しており、
該プログラムは、前記差出人変更処理において、
複数の前記イベント識別情報の１つを選択するユーザ操作を前記操作部が受付可能な状態で、複数の前記イベント識別情報を前記表示部に一覧表示させるイベント選択処理と、
前記イベント識別情報を選択するユーザ操作を前記操作部が受け付けたことに応じて、当該イベント識別情報で示される前記イベントに対応づけられた前記差出人情報の変更を指示するユーザ操作を前記操作部に受け付けさせる変更受付処理と、を前記コンピュータに実行させ、
該プログラムは、
前記差出人変更処理において、前記イベント選択処理で選択された前記イベント識別情報を、前記変更受付処理で変更された前記差出人情報と対応づけて前記記憶部に記憶させ、
前記テンプレート選択処理において、前記差出人変更処理が実行されたことに応じて、当該差出人変更処理で前記記憶部に記憶された前記イベント識別情報に対応づけられた前記テンプレート画像に対応する前記テンプレートオブジェクトを優先して前記表示部に表示させるプログラム。
【請求項１４】
画像を表示する表示部、ユーザ操作を受け付ける操作部、及び記憶部に接続されたコンピュータによって実行可能なプログラムであって、
前記記憶部は、
通信物に記録され得る複数のテンプレート画像を示すテンプレート画像データと、
通信物の差出人の姓名及び住所を少なくとも含む差出人情報と、を記憶しており、
該プログラムは、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を前記コンピュータに実行させることが可能であり、
前記テンプレート選択処理において、前記差出人変更処理が実行された場合と、前記差出人変更処理が実行されていない場合とで、前記テンプレートオブジェクトの表示態様を異ならせ、
前記記憶部は、複数のイベントを示すイベント識別情報を、当該イベントの発生に伴って変更されるべき前記差出人情報と対応づけて記憶しており、
該プログラムは、前記差出人変更処理において、
複数の前記イベント識別情報の１つを選択するユーザ操作を前記操作部が受付可能な状態で、複数の前記イベント識別情報を前記表示部に一覧表示させるイベント選択処理と、
前記イベント識別情報を選択するユーザ操作を前記操作部が受け付けたことに応じて、当該イベント識別情報で示される前記イベントに対応づけられた前記差出人情報の変更を指示するユーザ操作を前記操作部に受け付けさせる変更受付処理と、を前記コンピュータに実行させ、
前記差出人情報は、
前記差出人画像の生成に用いられる複数の基本情報と、
複数の前記基本情報それぞれに対応づけられた付帯情報と、を含み、
該プログラムは、前記変更受付処理において、さらに、変更される前記差出人情報に対応づけられた前記付帯情報の入力を指示するユーザ操作を前記操作部に受け付けさせ、且つ変更された前記基本情報及び前記付帯情報を対応づけて前記記憶部に記憶させるプログラム。
【請求項１５】
前記テンプレート選択処理において、直近の前記出力処理の後に前記差出人変更処理が実行された場合と、直近の前記出力処理の後に前記差出人変更処理が実行されていない場合とで、前記テンプレートオブジェクトの表示態様を異ならせる請求項１から１４のいずれかに記載のプログラム。
【請求項１６】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられた１以上のイベントタグが付加されており、
前記制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記テンプレート選択処理において、複数の前記特定タグが抽出されたことに応じて、付加された前記特定タグの数が多い前記テンプレート画像に対応する前記テンプレートオブジェクトを優先して前記表示部に表示させる情報処理装置。
【請求項１７】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
前記制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグには、重要度が割り当てられており、
前記制御部は、前記テンプレート選択処理において、複数の前記特定タグが抽出されたことに応じて、付加された前記特定タグの重要度が高い前記テンプレート画像に対応する前記テンプレートオブジェクトを優先して前記表示部に表示させる情報処理装置。
【請求項１８】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
前記制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、引っ越したことを報知するための前記テンプレート画像に付加された引越しタグを含み、
前記制御部は、前記テンプレート選択処理において、前記差出人変更処理が実行され且つ当該差出人変更処理で差出人の住所が変更されたことに応じて、前記引越しタグが付加された前記テンプレート画像に対応する前記テンプレートオブジェクトを優先して前記表示部に表示させ、
特定の地域を連想させるデザインの前記テンプレート画像には、当該地域を示す地域タグが付加されており、
前記制御部は、前記テンプレート選択処理において、変更後の差出人の住所を含む地域を示す前記地域タグが付加された前記テンプレート画像に対応する前記テンプレートオブジェクトを優先して前記表示部に表示させる情報処理装置。
【請求項１９】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
前記制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、引っ越したことを報知するための前記テンプレート画像に付加された引越しタグを含み、
前記制御部は、前記テンプレート選択処理において、前記差出人変更処理が実行され且つ当該差出人変更処理で差出人の住所が変更されたことに応じて、前記引越しタグが付加された前記テンプレート画像に対応する前記テンプレートオブジェクトを優先して前記表示部に表示させ、
前記記憶部は、
地域を示す地域タグが対応づけられた部品画像を示す部品データと、
複数の前記テンプレート画像データそれぞれに対応づけられており、前記部品画像を合成可能な当該テンプレート画像上の部品領域を示す領域情報と、を記憶しており、
前記制御部は、
前記編集処理において、
前記領域情報で示される前記部品領域を選択するユーザ操作を前記操作部が受付可能な状態で、選択された前記テンプレート画像を前記表示部に表示させる第１プレビュー処理と、
前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、
前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理と、を実行し、
前記部品選択処理において、変更後の差出人の住所を含む地域を示す前記地域タグが付加された前記部品画像に対応する前記部品オブジェクトを優先して前記表示部に表示させる情報処理装置。
【請求項２０】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
前記制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、結婚したことを報知するための前記テンプレート画像に付加された結婚タグを含み、
前記制御部は、前記テンプレート選択処理において、前記差出人変更処理が実行され且つ当該差出人変更処理で差出人の姓が変更されたこと或いは差出人の配偶者の名が追加されたことに応じて、前記結婚タグが付加された前記テンプレート画像に対応する前記テンプレートオブジェクトを優先して前記表示部に表示させ、
前記出力画像は、通信物の通信面に記録されるものであり、
家族構成に対応する数及び大きさの図形が表された画像を含む前記テンプレート画像には、当該画像で表された家族構成を示す家族タグが付加されており、
前記制御部は、前記テンプレート選択処理において、変更後の家族構成を示す前記家族タグが付加された前記テンプレート画像に対応する前記テンプレートオブジェクトを優先して前記表示部に表示させる情報処理装置。
【請求項２１】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
前記制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、子供が生まれたことを報知するための前記テンプレート画像に付加された出産タグを含み、
前記制御部は、前記テンプレート選択処理において、前記差出人変更処理が実行され且つ当該差出人変更処理で差出人の子供の名が追加されたことに応じて、前記出産タグが付加された前記テンプレート画像に対応する前記テンプレートオブジェクトを優先して前記表示部に表示させ、
前記出力画像は、通信物の通信面に記録されるものであり、
家族構成に対応する数及び大きさの図形が表された画像を含む前記テンプレート画像には、当該画像で表された家族構成を示す家族タグが付加されており、
前記制御部は、前記テンプレート選択処理において、変更後の家族構成を示す前記家族タグが付加された前記テンプレート画像に対応する前記テンプレートオブジェクトを優先して前記表示部に表示させる情報処理装置。
【請求項２２】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
前記制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、結婚したことを報知するための前記テンプレート画像に付加された結婚タグを含み、
前記制御部は、前記テンプレート選択処理において、前記差出人変更処理が実行され且つ当該差出人変更処理で差出人の姓が変更されたこと或いは差出人の配偶者の名が追加されたことに応じて、前記結婚タグが付加された前記テンプレート画像に対応する前記テンプレートオブジェクトを優先して前記表示部に表示させ、
前記記憶部は、
撮影日時を示す日時タグが付加されており、ユーザによって撮影された写真である部品画像を示す部品データと、
複数の前記テンプレート画像データそれぞれに対応づけられており、前記部品画像を合成可能な当該テンプレート画像上の部品領域を示す領域情報と、を記憶しており、
前記制御部は、
前記編集処理において、
前記領域情報で示される前記部品領域を選択するユーザ操作を前記操作部が受付可能な状態で、選択された前記テンプレート画像を前記表示部に表示させる第１プレビュー処理と、
前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、
前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理と、を実行し、
前記部品選択処理において、前記差出人変更処理が実行され且つ当該差出人変更処理で家族構成が変更された日時が前記差出人情報に追加されたことに応じて、当該日時以降の前記日時タグが付加された前記部品画像に対応する前記部品オブジェクトを優先して前記表示部に表示させる情報処理装置。
【請求項２３】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、前記差出人変更処理で実行可能な変更に関連づけられたイベントタグが付加されており、
前記制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、子供が生まれたことを報知するための前記テンプレート画像に付加された出産タグを含み、
前記制御部は、前記テンプレート選択処理において、前記差出人変更処理が実行され且つ当該差出人変更処理で差出人の子供の名が追加されたことに応じて、前記出産タグが付加された前記テンプレート画像に対応する前記テンプレートオブジェクトを優先して前記表示部に表示させ、
前記記憶部は、
撮影日時を示す日時タグが付加されており、ユーザによって撮影された写真である部品画像を示す部品データと、
複数の前記テンプレート画像データそれぞれに対応づけられており、前記部品画像を合成可能な当該テンプレート画像上の部品領域を示す領域情報と、を記憶しており、
前記制御部は、
前記編集処理において、
前記領域情報で示される前記部品領域を選択するユーザ操作を前記操作部が受付可能な状態で、選択された前記テンプレート画像を前記表示部に表示させる第１プレビュー処理と、
前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、
前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理と、を実行し、
前記部品選択処理において、前記差出人変更処理が実行され且つ当該差出人変更処理で家族構成が変更された日時が前記差出人情報に追加されたことに応じて、当該日時以降の前記日時タグが付加された前記部品画像に対応する前記部品オブジェクトを優先して前記表示部に表示させる情報処理装置。
【請求項２４】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記テンプレート画像には、当該テンプレート画像のデザイン上のカテゴリを示すカテゴリタグが付加されており、
前記制御部は、
前記出力処理において、前記出力画像に含まれる前記テンプレート画像に付加された前記カテゴリタグを、直近カテゴリタグとして前記記憶部に記憶させ、
前記テンプレート選択処理において、前記直近カテゴリタグが付加された前記テンプレート画像に対応する前記テンプレートオブジェクトを、前記直近カテゴリタグと異なる前記カテゴリタグが付加された前記テンプレート画像に対応する前記テンプレートオブジェクトより優先して前記表示部に表示させる情報処理装置。
【請求項２５】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記差出人情報は、
前記差出人画像の生成に用いられる複数の基本情報と、
複数の前記基本情報それぞれに対応づけられた付帯情報と、を含み、
前記制御部は、前記差出人変更処理において、
複数の前記基本情報の１つの変更を指示するユーザ操作を前記操作部が受付可能な状態で、複数の前記基本情報を前記表示部に一覧表示させる第１変更処理と、
前記基本情報の変更を指示するユーザ操作を前記操作部が受け付けたことに応じて、当該基本情報に対応づけられた前記付帯情報の入力を指示するユーザ操作を前記操作部が受付可能な状態で、当該付帯情報を前記表示部に表示させる第２変更処理と、を実行する情報処理装置。
【請求項２６】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記記憶部は、複数のイベントを示すイベント識別情報を、当該イベントの発生に伴って変更されるべき前記差出人情報と対応づけて記憶しており、
前記制御部は、前記差出人変更処理において、
複数の前記イベント識別情報の１つを選択するユーザ操作を前記操作部が受付可能な状態で、複数の前記イベント識別情報を前記表示部に一覧表示させるイベント選択処理と、
前記イベント識別情報を選択するユーザ操作を前記操作部が受け付けたことに応じて、当該イベント識別情報で示される前記イベントに対応づけられた前記差出人情報の変更を指示するユーザ操作を前記操作部に受け付けさせる変更受付処理と、を実行し、
前記テンプレート画像には、前記差出人変更処理で実行可能な変更に関連づけられたイベントタグが付加されており、
前記制御部は、
前記差出人変更処理において、前記イベント選択処理で選択された前記イベント識別情報に対応する前記イベントタグである特定タグ、及び前記変更受付処理で変更された前記差出人情報を前記記憶部に記憶させ、
前記テンプレート選択処理において、前記差出人変更処理が実行されたことに応じて、前記記憶部に記憶された前記特定タグが付加された前記テンプレート画像に対応する前記テンプレートオブジェクトを、前記特定タグが付加されていない前記テンプレート画像に対応する前記テンプレートオブジェクトより優先して前記表示部に表示させる情報処理装置。
【請求項２７】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記記憶部は、複数のイベントを示すイベント識別情報を、当該イベントの発生に伴って変更されるべき前記差出人情報と対応づけて記憶しており、
前記制御部は、前記差出人変更処理において、
複数の前記イベント識別情報の１つを選択するユーザ操作を前記操作部が受付可能な状態で、複数の前記イベント識別情報を前記表示部に一覧表示させるイベント選択処理と、
前記イベント識別情報を選択するユーザ操作を前記操作部が受け付けたことに応じて、当該イベント識別情報で示される前記イベントに対応づけられた前記差出人情報の変更を指示するユーザ操作を前記操作部に受け付けさせる変更受付処理と、を実行し、
前記制御部は、
前記差出人変更処理において、前記イベント選択処理で選択された前記イベント識別情報を、前記変更受付処理で変更された前記差出人情報と対応づけて前記記憶部に記憶させ、
前記テンプレート選択処理において、前記差出人変更処理が実行されたことに応じて、当該差出人変更処理で前記記憶部に記憶された前記イベント識別情報に対応づけられた前記テンプレート画像に対応する前記テンプレートオブジェクトを優先して前記表示部に表示させる情報処理装置。
【請求項２８】
画像を表示する表示部、ユーザ操作を受け付ける操作部、記憶部、及び制御部を備える情報処理装置であって、
前記記憶部は、
通信物に記録され得る複数のテンプレート画像を示すテンプレート画像データと、
通信物の差出人の姓名及び住所を少なくとも含む差出人情報と、を記憶しており、
前記制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を通信物に記録させるために、当該出力画像を示す出力画像データを出力する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記記憶部は、複数のイベントを示すイベント識別情報を、当該イベントの発生に伴って変更されるべき前記差出人情報と対応づけて記憶しており、
前記制御部は、前記差出人変更処理において、
複数の前記イベント識別情報の１つを選択するユーザ操作を前記操作部が受付可能な状態で、複数の前記イベント識別情報を前記表示部に一覧表示させるイベント選択処理と、
前記イベント識別情報を選択するユーザ操作を前記操作部が受け付けたことに応じて、当該イベント識別情報で示される前記イベントに対応づけられた前記差出人情報の変更を指示するユーザ操作を前記操作部に受け付けさせる変更受付処理と、を実行し、
前記差出人情報は、
前記差出人画像の生成に用いられる複数の基本情報と、
複数の前記基本情報それぞれに対応づけられた付帯情報と、を含み、
前記制御部は、前記変更受付処理において、さらに、変更される前記差出人情報に対応づけられた前記付帯情報の入力を指示するユーザ操作を前記操作部に受け付けさせ、且つ変更された前記基本情報及び前記付帯情報を対応づけて前記記憶部に記憶させる情報処理装置。
【請求項２９】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記テンプレート画像には、前記差出人変更処理で実行可能な変更に関連づけられた１以上のイベントタグが付加されており、
前記第１制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記テンプレート選択処理において、複数の前記特定タグが抽出されたことに応じて、付加された前記特定タグの数が多い前記テンプレート画像に対応する前記テンプレートオブジェクトを優先して前記表示部に表示させる記録システム。
【請求項３０】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記テンプレート画像には、前記差出人変更処理で実行可能な変更に関連づけられたイベントタグが付加されており、
前記第１制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグには、重要度が割り当てられており、
前記第１制御部は、前記テンプレート選択処理において、複数の前記特定タグが抽出されたことに応じて、付加された前記特定タグの重要度が高い前記テンプレート画像に対応する前記テンプレートオブジェクトを優先して前記表示部に表示させる記録システム。
【請求項３１】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記テンプレート画像には、前記差出人変更処理で実行可能な変更に関連づけられたイベントタグが付加されており、
前記第１制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、引っ越したことを報知するための前記テンプレート画像に付加された引越しタグを含み、
前記第１制御部は、前記テンプレート選択処理において、前記差出人変更処理が実行され且つ当該差出人変更処理で差出人の住所が変更されたことに応じて、前記引越しタグが付加された前記テンプレート画像に対応する前記テンプレートオブジェクトを優先して前記表示部に表示させ、
特定の地域を連想させるデザインの前記テンプレート画像には、当該地域を示す地域タグが付加されており、
前記第１制御部は、前記テンプレート選択処理において、変更後の差出人の住所を含む地域を示す前記地域タグが付加された前記テンプレート画像に対応する前記テンプレートオブジェクトを優先して前記表示部に表示させる記録システム。
【請求項３２】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記テンプレート画像には、前記差出人変更処理で実行可能な変更に関連づけられたイベントタグが付加されており、
前記第１制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、引っ越したことを報知するための前記テンプレート画像に付加された引越しタグを含み、
前記第１制御部は、前記テンプレート選択処理において、前記差出人変更処理が実行され且つ当該差出人変更処理で差出人の住所が変更されたことに応じて、前記引越しタグが付加された前記テンプレート画像に対応する前記テンプレートオブジェクトを優先して前記表示部に表示させ、
前記記憶部は、
地域を示す地域タグが対応づけられた部品画像を示す部品データと、
複数の前記テンプレート画像データそれぞれに対応づけられており、前記部品画像を合成可能な当該テンプレート画像上の部品領域を示す領域情報と、を記憶しており、
前記第１制御部は、
前記編集処理において、
前記領域情報で示される前記部品領域を選択するユーザ操作を前記操作部が受付可能な状態で、選択された前記テンプレート画像を前記表示部に表示させる第１プレビュー処理と、
前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、
前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理と、を実行し、
前記部品選択処理において、変更後の差出人の住所を含む地域を示す前記地域タグが付加された前記部品画像に対応する前記部品オブジェクトを優先して前記表示部に表示させる記録システム。
【請求項３３】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記テンプレート画像には、前記差出人変更処理で実行可能な変更に関連づけられたイベントタグが付加されており、
前記第１制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、結婚したことを報知するための前記テンプレート画像に付加された結婚タグを含み、
前記第１制御部は、前記テンプレート選択処理において、前記差出人変更処理が実行され且つ当該差出人変更処理で差出人の姓が変更されたこと或いは差出人の配偶者の名が追加されたことに応じて、前記結婚タグが付加された前記テンプレート画像に対応する前記テンプレートオブジェクトを優先して前記表示部に表示させ、
前記出力画像は、通信物の通信面に記録されるものであり、
家族構成に対応する数及び大きさの図形が表された画像を含む前記テンプレート画像には、当該画像で表された家族構成を示す家族タグが付加されており、
前記第１制御部は、前記テンプレート選択処理において、変更後の家族構成を示す前記家族タグが付加された前記テンプレート画像に対応する前記テンプレートオブジェクトを優先して前記表示部に表示させる記録システム。
【請求項３４】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記テンプレート画像には、前記差出人変更処理で実行可能な変更に関連づけられたイベントタグが付加されており、
前記第１制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、子供が生まれたことを報知するための前記テンプレート画像に付加された出産タグを含み、
前記第１制御部は、前記テンプレート選択処理において、前記差出人変更処理が実行され且つ当該差出人変更処理で差出人の子供の名が追加されたことに応じて、前記出産タグが付加された前記テンプレート画像に対応する前記テンプレートオブジェクトを優先して前記表示部に表示させ、
前記出力画像は、通信物の通信面に記録されるものであり、
家族構成に対応する数及び大きさの図形が表された画像を含む前記テンプレート画像には、当該画像で表された家族構成を示す家族タグが付加されており、
前記第１制御部は、前記テンプレート選択処理において、変更後の家族構成を示す前記家族タグが付加された前記テンプレート画像に対応する前記テンプレートオブジェクトを優先して前記表示部に表示させる記録システム。
【請求項３５】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記テンプレート画像には、前記差出人変更処理で実行可能な変更に関連づけられたイベントタグが付加されており、
前記第１制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、結婚したことを報知するための前記テンプレート画像に付加された結婚タグを含み、
前記第１制御部は、前記テンプレート選択処理において、前記差出人変更処理が実行され且つ当該差出人変更処理で差出人の姓が変更されたこと或いは差出人の配偶者の名が追加されたことに応じて、前記結婚タグが付加された前記テンプレート画像に対応する前記テンプレートオブジェクトを優先して前記表示部に表示させ、
前記記憶部は、
撮影日時を示す日時タグが付加されており、ユーザによって撮影された写真である部品画像を示す部品データと、
複数の前記テンプレート画像データそれぞれに対応づけられており、前記部品画像を合成可能な当該テンプレート画像上の部品領域を示す領域情報と、を記憶しており、
前記第１制御部は、
前記編集処理において、
前記領域情報で示される前記部品領域を選択するユーザ操作を前記操作部が受付可能な状態で、選択された前記テンプレート画像を前記表示部に表示させる第１プレビュー処理と、
前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、
前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理と、を実行し、
前記部品選択処理において、前記差出人変更処理が実行され且つ当該差出人変更処理で家族構成が変更された日時が前記差出人情報に追加されたことに応じて、当該日時以降の前記日時タグが付加された前記部品画像に対応する前記部品オブジェクトを優先して前記表示部に表示させる記録システム。
【請求項３６】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記テンプレート画像には、前記差出人変更処理で実行可能な変更に関連づけられたイベントタグが付加されており、
前記第１制御部は、前記テンプレート選択処理において、前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させ、
前記イベントタグは、子供が生まれたことを報知するための前記テンプレート画像に付加された出産タグを含み、
前記第１制御部は、前記テンプレート選択処理において、前記差出人変更処理が実行され且つ当該差出人変更処理で差出人の子供の名が追加されたことに応じて、前記出産タグが付加された前記テンプレート画像に対応する前記テンプレートオブジェクトを優先して前記表示部に表示させ、
前記記憶部は、
撮影日時を示す日時タグが付加されており、ユーザによって撮影された写真である部品画像を示す部品データと、
複数の前記テンプレート画像データそれぞれに対応づけられており、前記部品画像を合成可能な当該テンプレート画像上の部品領域を示す領域情報と、を記憶しており、
前記第１制御部は、
前記編集処理において、
前記領域情報で示される前記部品領域を選択するユーザ操作を前記操作部が受付可能な状態で、選択された前記テンプレート画像を前記表示部に表示させる第１プレビュー処理と、
前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、
前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理と、を実行し、
前記部品選択処理において、前記差出人変更処理が実行され且つ当該差出人変更処理で家族構成が変更された日時が前記差出人情報に追加されたことに応じて、当該日時以降の前記日時タグが付加された前記部品画像に対応する前記部品オブジェクトを優先して前記表示部に表示させる記録システム。
【請求項３７】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記テンプレート画像には、当該テンプレート画像のデザイン上のカテゴリを示すカテゴリタグが付加されており、
前記第１制御部は、
前記出力処理において、前記出力画像に含まれる前記テンプレート画像に付加された前記カテゴリタグを、直近カテゴリタグとして前記記憶部に記憶させ、
前記テンプレート選択処理において、前記直近カテゴリタグが付加された前記テンプレート画像に対応する前記テンプレートオブジェクトを、前記直近カテゴリタグと異なる前記カテゴリタグが付加された前記テンプレート画像に対応する前記テンプレートオブジェクトより優先して前記表示部に表示させる記録システム。
【請求項３８】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記差出人情報は、
前記差出人画像の生成に用いられる複数の基本情報と、
複数の前記基本情報それぞれに対応づけられた付帯情報と、を含み、
前記第１制御部は、前記差出人変更処理において、
複数の前記基本情報の１つの変更を指示するユーザ操作を前記操作部が受付可能な状態で、複数の前記基本情報を前記表示部に一覧表示させる第１変更処理と、
前記基本情報の変更を指示するユーザ操作を前記操作部が受け付けたことに応じて、当該基本情報に対応づけられた前記付帯情報の入力を指示するユーザ操作を前記操作部が受付可能な状態で、当該付帯情報を前記表示部に表示させる第２変更処理と、を実行する記録システム。
【請求項３９】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記記憶部は、複数のイベントを示すイベント識別情報を、当該イベントの発生に伴って変更されるべき前記差出人情報と対応づけて記憶しており、
前記第１制御部は、前記差出人変更処理において、
複数の前記イベント識別情報の１つを選択するユーザ操作を前記操作部が受付可能な状態で、複数の前記イベント識別情報を前記表示部に一覧表示させるイベント選択処理と、
前記イベント識別情報を選択するユーザ操作を前記操作部が受け付けたことに応じて、当該イベント識別情報で示される前記イベントに対応づけられた前記差出人情報の変更を指示するユーザ操作を前記操作部に受け付けさせる変更受付処理と、を実行し、
前記テンプレート画像には、前記差出人変更処理で実行可能な変更に関連づけられたイベントタグが付加されており、
前記第１制御部は、
前記差出人変更処理において、前記イベント選択処理で選択された前記イベント識別情報に対応する前記イベントタグである特定タグ、及び前記変更受付処理で変更された前記差出人情報を前記記憶部に記憶させ、
前記テンプレート選択処理において、前記差出人変更処理が実行されたことに応じて、前記記憶部に記憶された前記特定タグが付加された前記テンプレート画像に対応する前記テンプレートオブジェクトを、前記特定タグが付加されていない前記テンプレート画像に対応する前記テンプレートオブジェクトより優先して前記表示部に表示させる記録システム。
【請求項４０】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記記憶部は、複数のイベントを示すイベント識別情報を、当該イベントの発生に伴って変更されるべき前記差出人情報と対応づけて記憶しており、
前記第１制御部は、前記差出人変更処理において、
複数の前記イベント識別情報の１つを選択するユーザ操作を前記操作部が受付可能な状態で、複数の前記イベント識別情報を前記表示部に一覧表示させるイベント選択処理と、
前記イベント識別情報を選択するユーザ操作を前記操作部が受け付けたことに応じて、当該イベント識別情報で示される前記イベントに対応づけられた前記差出人情報の変更を指示するユーザ操作を前記操作部に受け付けさせる変更受付処理と、を実行し、
前記第１制御部は、
前記差出人変更処理において、前記イベント選択処理で選択された前記イベント識別情報を、前記変更受付処理で変更された前記差出人情報と対応づけて前記記憶部に記憶させ、
前記テンプレート選択処理において、前記差出人変更処理が実行されたことに応じて、当該差出人変更処理で前記記憶部に記憶された前記イベント識別情報に対応づけられた前記テンプレート画像に対応する前記テンプレートオブジェクトを優先して前記表示部に表示させる記録システム。
【請求項４１】
画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置と、を備える記録システムであって、
前記記憶部は、
通信物に記録され得る複数のテンプレート画像を示すテンプレート画像データと、
通信物の差出人の姓名及び住所を少なくとも含む差出人情報と、を記憶しており、
前記第１制御部は、
前記差出人情報の変更を指示するユーザ操作を前記操作部が受け付けたことに応じて、前記記憶部に記憶された前記差出人情報を当該ユーザ操作に従って変更する差出人変更処理と、
各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、
前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、
前記出力画像を示す出力画像データを、前記第１通信部を通じて前記画像記録装置に送信する出力処理と、を実行することが可能であり、
前記テンプレート選択処理において、前記差出人変更処理が実行された場合と、前記差出人変更処理が実行されていない場合とで、前記テンプレートオブジェクトの表示態様を異ならせ、
前記第２制御部は、前記第２通信部を通じて前記情報処理装置から前記出力画像データを受信したことに応じて、当該出力画像データで示される前記出力画像を記録用紙に記録する記録処理を前記記録部に実行させ、
前記記憶部は、複数のイベントを示すイベント識別情報を、当該イベントの発生に伴って変更されるべき前記差出人情報と対応づけて記憶しており、
前記第１制御部は、前記差出人変更処理において、
複数の前記イベント識別情報の１つを選択するユーザ操作を前記操作部が受付可能な状態で、複数の前記イベント識別情報を前記表示部に一覧表示させるイベント選択処理と、
前記イベント識別情報を選択するユーザ操作を前記操作部が受け付けたことに応じて、当該イベント識別情報で示される前記イベントに対応づけられた前記差出人情報の変更を指示するユーザ操作を前記操作部に受け付けさせる変更受付処理と、を実行し、
前記差出人情報は、
前記差出人画像の生成に用いられる複数の基本情報と、
複数の前記基本情報それぞれに対応づけられた付帯情報と、を含み、
前記第１制御部は、前記変更受付処理において、さらに、変更される前記差出人情報に対応づけられた前記付帯情報の入力を指示するユーザ操作を前記操作部に受け付けさせ、且つ変更された前記基本情報及び前記付帯情報を対応づけて前記記憶部に記憶させる記録システム。
【発明の詳細な説明】
【技術分野】
【０００１】
本発明は、記録用紙に記録される画像を編集する情報処理装置に搭載されるプログラム等に関する。
【背景技術】
【０００２】
従来より、葉書の宛名面及び通信面それぞれに記録すべき情報の入力を受け付け、当該情報を葉書に記録するシステムが知られている。例えば特許文献１には、葉書の宛名面に記録される宛先及び通信面に記録される写真やメッセージ等を入力するユーザ操作を受け付け、入力された各種情報を葉書に記録する処理をサーバ装置に実行させるシステムが開示されている。
【０００３】
また、予め用意されたテンプレート画像をユーザに選択させ、且つユーザによって入力された写真、差出人、及びメッセージ等を示す画像（以下、これらを総称して「部品画像」と表記する。）を当該テンプレート画像に合成することによって、葉書の通信面に記録される画像を編集可能な情報処理装置が知られている。
【先行技術文献】
【特許文献】
【０００４】
【特許文献１】特開２００２−４４３５５号公報
【発明の概要】
【発明が解決しようとする課題】
【０００５】
上記のような情報処理装置において、ユーザは、例えば、様々なデザインのテンプレート画像、或いは差出人の近況（例えば、引越し、結婚、出産等）を伝えるのに適したテンプレート画像の中から所望のテンプレート画像を選択することができる。しかしながら、用意されたテンプレート画像の数が多くなると、所望のテンプレート画像を探し出すのに時間がかかるという課題を生じる。
【０００６】
本発明は、上記の事情に鑑みてなされたものであり、その目的は、多数のテンプレート画像の中から所望のテンプレート画像を簡単に選択可能なプログラムを提供することにある。
【課題を解決するための手段】
【０００７】
(1)  本明細書に記載のプログラムは、画像を表示する表示部、ユーザ操作を受け付ける操作部、及び記憶部に接続されたコンピュータによって実行可能である。前記記憶部は、通信物に記録され得る複数のテンプレート画像を示すテンプレート画像データと、通信物の差出人の姓名及び住所を少なくとも含む差出人情報とを記憶している。該プログラムは、前記差出人情報の変更を指示するユーザ操作を前記操作部が受け付けたことに応じて、前記記憶部に記憶された前記差出人情報を当該ユーザ操作に従って変更する差出人変更処理と、各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、前記出力画像を通信物に記録させるために、当該出力画像を示す出力画像データを出力する出力処理とを前記コンピュータに実行させることが可能である。そして、該プログラムは、前記テンプレート選択処理において、直近の前記出力処理の後に前記差出人変更処理が実行された場合と、直近の前記出力処理の後に前記差出人変更処理が実行されていない場合とで、前記テンプレートオブジェクトの表示態様を異ならせる。
【０００８】
上記構成によれば、差出人情報の変更内容から推定されるユーザの状況に適したテンプレート画像が選択されやすくなる。その結果、多数のテンプレート画像の中から所望のテンプレート画像を簡単に選択させることができる。
【０００９】
(2)  例えば、前記テンプレート画像には、前記差出人変更処理で実行可能な変更に関連づけられたイベントタグが付加されている。そして、該プログラムは、前記テンプレート選択処理において、直近の前記出力処理の後に前記差出人変更処理が実行されたことに応じて、当該差出人変更処理で実行された変更に関連づけられた前記イベントタグである特定タグを抽出し、前記特定タグが付加された前記テンプレート画像に対応する前記テンプレートオブジェクトを、前記特定タグが付加されていない前記テンプレート画像に対応する前記テンプレートオブジェクトより優先して前記表示部に表示させる。
【００１０】
(3)  好ましくは、前記テンプレート画像には、１以上のイベントタグが付加されている。そして、該プログラムは、前記テンプレート選択処理において、複数の前記特定タグが抽出されたことに応じて、付加された前記特定タグの数が多い前記テンプレート画像に対応する前記テンプレートオブジェクトを優先して前記表示部に表示させる。
【００１１】
上記構成によれば、ユーザに起こった複数のイベントを伝えるのに適したテンプレート画像が選択されやすくなる。なお、イベントの具体例は特に限定されないが、例えば、引越し、結婚、出産、就職等であってもよい。また、特定タグが対応づけられたテンプレート画像を優先表示するとは、例えば、当該テンプレート画像の並び順を他のテンプレート画像より前にすること、或いは当該テンプレート画像のみ表示させること等を指す。
【００１２】
(4)  好ましくは、前記イベントタグには、重要度が割り当てられている。そして、該プログラムは、前記テンプレート選択処理において、複数の前記特定タグが抽出されたことに応じて、付加された前記特定タグの重要度が高い前記テンプレート画像に対応する前記テンプレートオブジェクトを優先して前記表示部に表示させる。
【００１３】
上記構成によれば、ユーザにとって重要なイベントを伝えるのに適したテンプレート画像が選択されやすくなる。なお、各イベントタグの重要度は、予め割り当てられていてもよいし、ユーザによって任意に割り当てられてもよい。
【００１４】
(5)  好ましくは、前記イベントタグは、引っ越したことを報知するための前記テンプレート画像に付加された引越しタグを含む。そして、該プログラムは、前記テンプレート選択処理において、直近の前記出力処理の後に前記差出人変更処理が実行され且つ当該差出人変更処理で差出人の住所が変更されたことに応じて、前記引越しタグが付加された前記テンプレート画像に対応する前記テンプレートオブジェクトを優先して前記表示部に表示させる。
【００１５】
上記構成によれば、引っ越したことを伝えるのに適したテンプレート画像を簡単に選択させることができる。なお、引っ越したことを伝えるのに適したテンプレート画像の具体例は特に限定されないが、例えば、「引っ越しました」等のメッセージが含まれるテンプレート画像であってもよい。
【００１６】
(6)  好ましくは、特定の地域を連想させるデザインの前記テンプレート画像には、当該地域を示す地域タグが付加されている。そして、該プログラムは、前記テンプレート選択処理において、変更後の差出人の住所を含む地域を示す前記地域タグが付加された前記テンプレート画像に対応する前記テンプレートオブジェクトを優先して前記表示部に表示させる。
【００１７】
上記構成によれば、引越先の地域を連想させるテンプレート画像を簡単に選択させることができる。なお、地域タグが示す地域の特定方法は特に限定されないが、緯度及び経度の組み合わせによる地域の特定、都道府県や市町村による地域の特定、或いは当該地域の特性（例えば、海が近い、雪国である等）による特定であってもよい。
【００１８】
(7)  好ましくは、前記記憶部は、地域を示す地域タグが対応づけられた部品画像を示す部品データと、複数の前記テンプレート画像データそれぞれに対応づけられており、前記部品画像を合成可能な当該テンプレート画像上の部品領域を示す領域情報とを記憶している。該プログラムは、前記編集処理において、前記領域情報で示される前記部品領域を選択するユーザ操作を前記操作部が受付可能な状態で、選択された前記テンプレート画像を前記表示部に表示させる第１プレビュー処理と、前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理とを前記コンピュータに実行させる。そして、該プログラムは、前記部品選択処理において、変更後の差出人の住所を含む地域を示す前記地域タグが付加された前記部品画像に対応する前記部品オブジェクトを優先して前記表示部に表示させる。
【００１９】
上記構成によれば、引越先で撮影した写真、或いは引越先を連想させるイラスト等を簡単に選択させることができる。なお、地域タグは前述と共通であってもよいし、写真撮影時に自動的に付加されるＧＰＳ情報等であってもよい。
【００２０】
(8)  好ましくは、前記イベントタグは、結婚したことを報知するための前記テンプレート画像に付加された結婚タグを含む。そして、該プログラムは、前記テンプレート選択処理において、直近の前記出力処理の後に前記差出人変更処理が実行され且つ当該差出人変更処理で差出人の姓が変更されたこと或いは差出人の配偶者の名が追加されたことに応じて、前記結婚タグが付加された前記テンプレート画像に対応する前記テンプレートオブジェクトを優先して前記表示部に表示させる。
【００２１】
上記構成によれば、結婚したことを伝えるのに適したテンプレート画像を簡単に選択させることができる。なお、結婚したことを伝えるのに適したテンプレート画像の具体例は特に限定されないが、例えば、「結婚しました」等のメッセージが含まれるテンプレート画像であってもよい。
【００２２】
(9)  好ましくは、前記イベントタグは、子供が生まれたことを報知するための前記テンプレート画像に付加された出産タグを含む。そして、該プログラムは、前記テンプレート選択処理において、直近の前記出力処理の後に前記差出人変更処理が実行され且つ当該差出人変更処理で差出人の子供の名が追加されたことに応じて、前記出産タグが付加された前記テンプレート画像に対応する前記テンプレートオブジェクトを優先して前記表示部に表示させる。
【００２３】
上記構成によれば、子供が生まれたことを伝えるのに適したテンプレート画像を簡単に選択させることができる。なお、子供が生まれたことを伝えるのに適したテンプレート画像の具体例は特に限定されないが、例えば、「家族が増えました」等のメッセージが含まれるテンプレート画像であってもよい。
【００２４】
(10)  好ましくは、前記出力画像は、通信物である年賀状の通信面に記録されるものである。また、家族構成に対応する数及び大きさの干支動物が表された干支画像を含む前記テンプレート画像には、当該干支画像で表された家族構成を示す家族タグが付加されている。そして、該プログラムは、前記テンプレート選択処理において、変更後の家族構成を示す前記家族タグが付加された前記テンプレート画像に対応する前記テンプレートオブジェクトを優先して前記表示部に表示させる。
【００２５】
上記構成によれば、干支画像によって家族構成の変更を伝えることができる。なお、家族構成タグとは、例えば、前述の結婚タグ及び出産タグであってもよい。そして、結婚タグで示される家族構成は、例えば、夫及び妻の２人である。また、第１子出産タグで示される家族構成は、例えば、夫、妻、及び子供の３人である。また、干支画像は、例えば、大きな干支動物の数によって大人の人数を表し、小さな干支動物の数によって子供の人数を表してもよい。
【００２６】
(11)  好ましくは、前記記憶部は、撮影日時を示す日時タグが付加されており、ユーザによって撮影された写真である部品画像を示す部品データと、複数の前記テンプレート画像データそれぞれに対応づけられており、前記部品画像を合成可能な当該テンプレート画像上の部品領域を示す領域情報とを記憶している。該プログラムは、前記編集処理において、前記領域情報で示される前記部品領域を選択するユーザ操作を前記操作部が受付可能な状態で、選択された前記テンプレート画像を前記表示部に表示させる第１プレビュー処理と、前記部品領域を選択するユーザ操作を前記操作部が受け付けたことに応じて、各々が前記部品画像に対応する複数の部品オブジェクトの１つを選択するユーザ操作を前記操作部が受付可能な状態で、複数の前記部品オブジェクトを前記表示部に一覧表示させる部品選択処理と、前記部品オブジェクトを選択するユーザ操作を前記操作部が受け付けたことに応じて、前記テンプレート画像の前記部品領域に当該部品オブジェクトに対応する前記部品画像を合成して得られる前記出力画像を前記表示部に表示させる第２プレビュー処理とを前記コンピュータに実行させる。そして、該プログラムは、前記部品選択処理において、直近の前記出力処理の後に前記差出人変更処理が実行され且つ当該差出人変更処理で家族構成が変更された日時が前記差出人情報に追加されたことに応じて、当該日時以降の前記日時タグが付加された前記部品画像に対応する前記部品オブジェクトを優先して前記表示部に表示させる。
【００２７】
上記構成によれば、家族構成が変更された後に撮影された写真を簡単に選択させることができる。なお、家族構成が変更された日時とは、差出人変更処理が実行された日時ではなく、入籍日、挙式日、出産日等の家族構成が変更された現実の日時を指す。
【００２８】
(12)  好ましくは、前記テンプレート画像には、当該テンプレート画像のデザイン上のカテゴリを示すカテゴリタグが付加されている。そして、該プログラムは、前記出力処理において、前記出力画像に含まれる前記テンプレート画像に付加された前記カテゴリタグを、直近カテゴリタグとして前記記憶部に記憶させ、前記テンプレート選択処理において、前記直近カテゴリタグが付加された前記テンプレート画像に対応する前記テンプレートオブジェクトを、前記直近カテゴリタグと異なる前記カテゴリタグが付加された前記テンプレート画像に対応する前記テンプレートオブジェクトより優先して前記表示部に表示させる。
【００２９】
当該プログラムを繰り返し利用するユーザは、毎回同じようなデザインのテンプレート画像を選択する傾向がある。そこで、前回と同じカテゴリのテンプレート画像を優先表示することにより、所望のテンプレート画像を簡単に選択させることができる。なお、カテゴリタグとは、例えば、シンプル、ポップ、クール等のテンプレート画像のデザインのテイストを示すものであってもよい。
【００３０】
(13)  一例として、前記差出人情報は、前記差出人画像の生成に用いられる複数の基本情報と、複数の前記基本情報それぞれに対応づけられた付帯情報とを含む。そして、該プログラムは、前記差出人変更処理において、複数の前記基本情報の１つの変更を指示するユーザ操作を前記操作部が受付可能な状態で、複数の前記基本情報を前記表示部に一覧表示させる第１変更処理と、前記基本情報の変更を指示するユーザ操作を前記操作部が受け付けたことに応じて、当該基本情報に対応づけられた前記付帯情報の入力を指示するユーザ操作を前記操作部が受付可能な状態で、当該付帯情報を前記表示部に表示させる第２変更処理とを前記コンピュータに実行させる。
【００３１】
(14)  他の例として、前記記憶部は、複数のイベントを示すイベント識別情報を、当該イベントの発生に伴って変更されるべき前記差出人情報と対応づけて記憶している。そして、該プログラムは、前記差出人変更処理において、複数の前記イベント識別情報の１つを選択するユーザ操作を前記操作部が受付可能な状態で、複数の前記イベント識別情報を前記表示部に一覧表示させるイベント選択処理と、前記イベント識別情報を選択するユーザ操作を前記操作部が受け付けたことに応じて、当該イベント識別情報で示される前記イベントに対応づけられた前記差出人情報の変更を指示するユーザ操作を前記操作部に受け付けさせる変更受付処理と、を前記コンピュータに実行させる。
【００３２】
上記構成によれば、優先表示させるテンプレート画像を決定するための情報を効率良く収集することができる。なお、連名は基本情報の一例であり、続柄、入籍日、挙式日、出産日等は連名に対応する付帯情報の一例である。また、イベントとは、引っ越し、結婚、出産、就職等を指す。
【００３３】
(15)  例えば、前記テンプレート画像には、前記差出人変更処理で実行可能な変更に関連づけられたイベントタグが付加されている。そして、該プログラムは、前記差出人変更処理において、前記イベント選択処理で選択された前記イベント識別情報に対応する前記イベントタグである特定タグ、及び前記変更受付処理で変更された前記差出人情報を前記記憶部に記憶させ、前記テンプレート選択処理において、直近の前記出力処理の後に前記差出人変更処理が実行されたことに応じて、前記記憶部に記憶された前記特定タグが付加された前記テンプレート画像に対応する前記テンプレートオブジェクトを、前記特定タグが付加されていない前記テンプレート画像に対応する前記テンプレートオブジェクトより優先して前記表示部に表示させる。
【００３４】
(16)  例えば、該プログラムは、前記差出人変更処理において、前記イベント選択処理で選択された前記イベント識別情報を、前記変更受付処理で変更された前記差出人情報と対応づけて前記記憶部に記憶させ、前記テンプレート選択処理において、直近の前記出力処理の後に前記差出人変更処理が実行されたことに応じて、当該差出人変更処理で前記記憶部に記憶された前記イベント識別情報に対応づけられた前記テンプレート画像に対応する前記テンプレートオブジェクトを優先して前記表示部に表示させる。
【００３５】
(17)  例えば、前記差出人情報は、前記差出人画像の生成に用いられる複数の基本情報と、複数の前記基本情報それぞれに対応づけられた付帯情報とを含む。そして、該プログラムは、前記変更受付処理において、さらに、変更される前記差出人情報に対応づけられた前記付帯情報の入力を指示するユーザ操作を前記操作部に受け付けさせ、且つ変更された前記基本情報及び前記付帯情報を対応づけて前記記憶部に記憶させる。
【００３６】
(18)  例えば、前記記憶部は、通信物の宛先を示す宛先情報を記憶している。該プログラムは、前記宛先情報の変更を指示するユーザ操作を前記操作部が受け付けたことに応じて、前記記憶部に記憶された前記宛先情報を当該ユーザ操作に従って変更する宛先変更処理を前記コンピュータに実行させることが可能である。そして、該プログラムは、前記テンプレート選択処理において、直近の前記出力処理の後に前記宛先変更処理が実行された場合と、直近の前記出力処理の後に前記宛先変更処理が実行されていない場合とで、前記テンプレートオブジェクトの表示態様を異ならせる。
【００３７】
(19)  例えば、前記コンピュータは、通信物に記録された画像を読み取る読取部と接続されている。そして、該プログラムは、前記宛先変更処理において、受領した通信物に記録された通信物画像を前記読取部に読み取らせ、前記通信物画像から抽出された当該通信物の差出人を示す情報で前記宛先情報を変更する。
【００３８】
(20)  本発明に記載の情報処理装置は、画像を表示する表示部、ユーザ操作を受け付ける操作部、記憶部、及び制御部を備える。前記記憶部は、通信物に記録され得る複数のテンプレート画像を示すテンプレート画像データと、通信物の差出人の姓名及び住所を少なくとも含む差出人情報とを記憶している。前記制御部は、前記差出人情報の変更を指示するユーザ操作を前記操作部が受け付けたことに応じて、前記記憶部に記憶された前記差出人情報を当該ユーザ操作に従って変更する差出人変更処理と、各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、前記出力画像を通信物に記録させるために、当該出力画像を示す出力画像データを出力する出力処理とを実行することが可能である。そして、前記制御部は、前記テンプレート選択処理において、直近の前記出力処理の後に前記差出人変更処理が実行された場合と、直近の前記出力処理の後に前記差出人変更処理が実行されていない場合とで、前記テンプレートオブジェクトの表示態様を異ならせる。
【００３９】
(21)  本明細書に記載の記録システムは、画像を表示する表示部、ユーザ操作を受け付ける操作部、記憶部、第１通信部、及び第１制御部を備える情報処理装置と、記録用紙に画像を記録する記録部、第２通信部、及び第２制御部を備える画像記録装置とを備える。前記記憶部は、通信物に記録され得る複数のテンプレート画像を示すテンプレート画像データと、通信物の差出人の姓名及び住所を少なくとも含む差出人情報とを記憶している。前記第１制御部は、前記差出人情報の変更を指示するユーザ操作を前記操作部が受け付けたことに応じて、前記記憶部に記憶された前記差出人情報を当該ユーザ操作に従って変更する差出人変更処理と、各々が前記テンプレート画像に対応する複数のテンプレートオブジェクトの１つを選択するユーザ操作を前記操作部が受付可能な状態で、前記テンプレートオブジェクトを前記表示部に表示させるテンプレート選択処理と、前記テンプレートオブジェクトを選択するユーザ操作を前記操作部が受け付けたことに応じて、前記記憶部に記憶された前記差出人情報から生成された差出人画像を、当該テンプレートオブジェクトに対応する前記テンプレート画像に合成して出力画像を生成する編集処理と、前記出力画像を示す出力画像データを、前記第１通信部を通じて前記画像記録装置に送信する出力処理とを実行することが可能である。そして、前記第１制御部は、前記テンプレート選択処理において、直近の前記出力処理の後に前記差出人変更処理が実行された場合と、直近の前記出力処理の後に前記差出人変更処理が実行されていない場合とで、前記テンプレートオブジェクトの表示態様を異ならせる。また、前記第２制御部は、前記第２通信部を通じて前記情報処理装置から前記出力画像データを受信したことに応じて、当該出力画像データで示される前記出力画像を記録用紙に記録する記録処理を前記記録部に実行させる。
【発明の効果】
【００４０】
本発明によれば、差出人情報の変更内容から推定されるユーザの状況に適したテンプレート画像が選択されやすくなるので、多数のテンプレート画像の中から所望のテンプレート画像を簡単に選択させることができる。
【図面の簡単な説明】
【００４１】
【図１】図１は、実施形態に係る記録システム１００のブロック図である。
【図２】図２は、データ記憶領域６２Ｂに記憶された情報の例であって、（Ａ）は差出人情報を、（Ｂ）は直近出力処理情報を示す。
【図３】図３は、データ記憶領域６２Ｂに記憶された写真データの一例である。
【図４】図４は、サーバ装置７０に記憶されるテンプレート画像データの一例である。
【図５】図５は、差出人変更処理のフローチャートである。
【図６】図６は、通信面記録処理のフローチャートである。
【図７】図７は、タグ抽出処理のフローチャートである。
【図８】図８は、表示部５３の表示例であって、（Ａ）はメニュー画面を、（Ｂ）は年賀状作成画面を示す。
【図９】図９は、表示部５３の表示例であって、（Ａ）は基本情報変更画面を、（Ｂ）は付帯情報入力画面を示す。
【図１０】図１０は、表示部５３の表示例であって、（Ａ）はテンプレート選択画面を、（Ｂ）は部品画像選択画面を示す。
【図１１】図１１は、テンプレート編集画面の表示例であって、（Ａ）は部品画像１２７が合成される前の状態を、（Ｂ）は部品画像１２７が合成された後の状態を示す。
【図１２】図１２は、データ記憶領域６２Ｂに対応付けて記憶されたイベント識別情報及び変更すべき差出人情報の一例である。
【図１３】図１３は、表示部５３の表示例であって、（Ａ）はイベント選択画面を、（Ｂ）は基本情報変更画面を示す。
【発明を実施するための形態】
【００４２】
以下、適宜図面を参照して本発明の実施形態について説明する。なお、以下に説明される実施形態は本発明の一例にすぎず、本発明の要旨を変更しない範囲で、本発明の実施形態を適宜変更できることは言うまでもない。
【００４３】
図１は、本実施形態における記録システム１００の概略図である。図１に示される記録システム１００は、複合機１０と、携帯端末５０と、サーバ装置７０とで構成されている。複合機１０、携帯端末５０、及びサーバ装置７０は、通信ネットワーク１０２を介して相互に通信可能とされている。通信ネットワーク１０２の具体例は特に限定されないが、例えば、インターネット、移動体通信網、有線ＬＡＮ（Ｌｏｃａｌ  Ａｒｅａ  Ｎｅｔｗｏｒｋの略）、無線ＬＡＮ、或いはこれらの組み合わせであってもよい。
【００４４】
［複合機１０］
複合機１０は、図１に示されるように、プリンタ部１１と、スキャナ部１２と、表示部２３と、操作部２４と、通信部２５と、ＣＰＵ３１と、記憶部３２と、通信バス３３とを主に備える。複合機１０を構成する各構成要素は、通信バス３３を介して相互に接続されている。複合機１０は、画像記録装置の一例である。
【００４５】
［プリンタ部１１、スキャナ部１２］
プリンタ部１１は、画像データで示される画像を記録用紙に記録する記録処理を実行する。プリンタ部１１の記録方式は特に限定されないが、例えば、インクジェット方式や電子写真方式などの公知の方式を採用することができる。スキャナ部１２は、記録用紙に記録されている画像を読み取って画像データを生成するスキャン処理を実行する。複合機１０は、ＦＡＸの送受信を行うＦＡＸ機能、記録用紙に記録された画像を読み取って他の記録用紙に記録するコピー機能等をさらに有してもよい。
【００４６】
［表示部２３］
表示部２３は、各種情報を表示する表示画面を備える。表示部２３の具体的な構成は特に限定されないが、例えば、液晶ディスプレイ（Ｌｉｑｕｉｄ  Ｃｒｙｓｔａｌ  Ｄｉｓｐｌａｙの略）、有機ＥＬディスプレイ（Ｏｒｇａｎｉｃ  Ｅｌｅｃｔｒｏ−Ｌｕｍｉｎｅｓｃｅｎｃｅ  Ｄｉｓｐｌａｙの略）等を採用することができる。
【００４７】
［操作部２４］
操作部２４は、表示部２３の表示画面に表示されたオブジェクトを選択するユーザの操作を受け付ける。具体的には、操作部２４は、例えば押ボタンを有しており、押下された押ボタンに対応づけられた各種の操作信号をＣＰＵ３１へ出力する。さらに、操作部２４は、表示部２３の表示画面に重畳された膜状のタッチセンサを有していてもよい。すなわち、表示部２３がタッチパネルディスプレイとして構成されてもよい。タッチセンサには、静電容量方式、抵抗膜方式等の周知の方式を採用することができる。
【００４８】
なお、「オブジェクト」とは、ユーザが操作部２４を操作することによって選択可能な画像を指す。一例として、オブジェクトは表示部２３に表示された文字列であって、操作部２４の方向キーを押下することによってオブジェクトの１つがハイライト表示され、操作部２４の決定ボタンを押下することによってハイライト表示されたオブジェクトが選択されてもよい。他の例として、操作部２４がタッチパネルである場合のオブジェクトは表示部２３に表示されたアイコン、ボタン、リンク、ラジオボタン、チェックボックス、或いはプルダウンメニュー等であって、タッチ位置に表示されたオブジェクトが選択されてもよい。
【００４９】
［通信部２５］
通信部２５は、通信ネットワーク１０２を通じて外部装置と通信を行うためのインタフェースである。すなわち、複合機１０は、通信部２５を通じて携帯端末５０或いはサーバ装置７０に各種情報を出力し、通信部２５を通じて携帯端末５０或いはサーバ装置７０から各種データ又は各種情報を受信する。通信部２５の具体的な通信手順は特に限定されないが、例えば、Ｗｉ−Ｆｉ（Ｗｉ−Ｆｉ  Ａｌｌｉａｎｃｅの登録商標）を採用することができる。
【００５０】
［ＣＰＵ３１］
ＣＰＵ（Ｃｅｎｔｒａｌ  Ｐｒｏｃｅｓｓｉｎｇ  Ｕｎｉｔの略）３１は、複合機１０の全体動作を制御するものである。ＣＰＵ３１は、操作部２４から出力される各種情報、及び通信部２５を通じて外部装置から取得した各種情報等に基づいて、後述する各種プログラムを記憶部３２から取得して実行する。すなわち、ＣＰＵ３１及び記憶部３２は、制御部の一例を構成する。
【００５１】
［記憶部３２］
記憶部３２は、プログラム記憶領域３２Ａと、データ記憶領域３２Ｂとを有する。プログラム記憶領域３２Ａには、ＯＳ（Ｏｐｅｒａｔｉｎｇ  Ｓｙｓｔｅｍの略）３４と、制御プログラム３５とが格納される。なお、制御プログラム３５は、単一のプログラムであってもよいし、複数のプログラムの集合体であってもよい。データ記憶領域３２Ｂには、制御プログラム３５の実行に必要なデータ或いは情報が記憶される。
【００５２】
なお、本明細書中の「データ」と「情報」とは、コンピュータによって取り扱い可能なビット或いはビット列である点において共通する。「データ」とは、各ビットが示す意味内容をコンピュータが考慮することなく取り扱えるものを指す。これに対して、「情報」とは、各ビットが示す意味内容によってコンピュータの動作が分岐するものを指す。さらに、「指示」は、送信先の装置に対して次の動作を促すための制御信号であって、情報を含んでいることもあるし、それ自体が情報としての性質を有していることもある。
【００５３】
また、「データ」及び「情報」は、形式（例えば、テキスト形式、バイナリ形式、フラグ形式等）がコンピュータ毎に変更されたとしても、同一の意味内容と認識される限り、同一のデータ及び情報として取り扱われる。例えば、「２つ」であることを示す情報が、あるコンピュータではＡＳＣＩＩコードで”０ｘ３２”というテキスト形式の情報として保持され、別のコンピュータでは二進数表記で”１０”というバイナリ形式の情報として保持されてもよい。
【００５４】
但し、上記の「データ」及び「情報」の区別は厳密なものではなく、例外的な取り扱いも許容される。例えば、データが一時的に情報として扱われてもよいし、情報が一時的にデータとして扱われてもよい。また、ある装置ではデータとして扱われるものが、他の装置では情報として扱われてもよい。さらには、データの中から情報が取り出されてもよいし、情報の中からデータが取り出されてもよい。
【００５５】
記憶部３２は、例えば、ＲＡＭ（Ｒａｎｄｏｍ  Ａｃｃｅｓｓ  Ｍｅｍｏｒｙの略）、ＲＯＭ（Ｒｅａｄ  Ｏｎｌｙ  Ｍｅｍｏｒｙの略）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙの略）、ＨＤＤ（Ｈａｒｄ  Ｄｉｓｋ  Ｄｒｉｖｅの略）、ＣＰＵ３１が備えるバッファ等、或いはそれらの組み合わせによって構成される。
【００５６】
なお、記憶部３２は、コンピュータが読み取り可能なストレージ媒体であってもよい。コンピュータが読み取り可能なストレージ媒体とは、ｎｏｎ−ｔｒａｎｓｉｔｏｒｙな媒体である。ｎｏｎ−ｔｒａｎｓｉｔｏｒｙな媒体には、上記の例の他に、ＣＤ−ＲＯＭ、ＤＶＤ−ＲＯＭ等の記録媒体も含まれる。また、ｎｏｎ−ｔｒａｎｓｉｔｏｒｙな媒体は、ｔａｎｇｉｂｌｅな媒体でもある。一方、インターネット上のサーバなどからダウンロードされるプログラムを搬送する電気信号は、コンピュータが読み取り可能な媒体の一種であるコンピュータが読み取り可能な信号媒体であるが、ｎｏｎ−ｔｒａｎｓｉｔｏｒｙなコンピュータが読み取り可能なストレージ媒体には含まれない。
【００５７】
プログラム記憶領域３２Ａに記憶されているプログラムは、ＣＰＵ３１によって実行される。しかしながら、本明細書では、ＣＰＵ３１を省略して各プログラムの動作を説明することがある。すなわち、以下の説明において、「プログラムＡが処理Ａを実行する」という趣旨の記述は、「ＣＰＵ３１がプログラムＡに記述された処理Ａを実行する」ことを指してもよい。後述する携帯端末５０についても同様である。
【００５８】
ＯＳ３４は、複合機１０を構成するハードウェアであるプリンタ部１１、スキャナ部１２、表示部２３、操作部２４、及び通信部２５等を制御するためのＡＰＩ（Ａｐｐｌｉｃａｔｉｏｎ  Ｐｒｏｇｒａｍｍｉｎｇ  Ｉｎｔｅｒｆａｃｅの略）を提供する基本プログラムである。すなわち、上記の各プログラムは、ＯＳ３４が提供するＡＰＩを呼び出すことによって、各ハードウェアを制御する。しかしながら、本明細書では、ＯＳ３４を省略して各プログラムの動作を説明する。すなわち、以下の説明において、「プログラムＢがハードウェアＣを制御する」という趣旨の記述は、「プログラムＢがＯＳ３４のＡＰＩを通じてハードウェアＣを制御する」ことを指してもよい。後述する携帯端末５０についても同様である。
【００５９】
［携帯端末５０］
携帯端末５０は、図１に示されるように、表示部５３と、操作部５４と、通信部５５と、ＣＰＵ６１と、記憶部６２と、通信バス６３とを主に備える。携帯端末５０に含まれる表示部５３、操作部５４、通信部５５、ＣＰＵ６１、記憶部６２、及び通信バス６３は、複合機１０に含まれる表示部２３、操作部２４、通信部２５、ＣＰＵ３１、記憶部３２、及び通信バス３３と共通するので、再度の説明は省略する。携帯端末５０は情報処理装置の一例であり、ＣＰＵ６１及び記憶部６２は制御部の一例である。情報処理装置の具体例は、スマートフォン、携帯電話、タブレット端末等の携帯端末５０に限定されず、ＰＣ（Ｐｅｒｓｏｎａｌ  Ｃｏｍｐｕｔｅｒの略）等であってもよい。
【００６０】
携帯端末５０の操作部５４は、表示部５３の表示画面に重畳された膜状のタッチセンサを含む。そして、操作部５４は、表示部５３の表示画面をタッチするユーザ操作を受け付ける。また、操作部５４は、ユーザがタッチした表示画面上の位置を示す位置情報を出力する。位置情報は、例えば、表示画面の左上端を原点とし、右向きをｘ軸の正の向き、下向きをｙ軸の正の向きとしたｘ−ｙ平面上の座標（ｘ，ｙ）として表現できる。
【００６１】
なお、本明細書中における「タッチ」とは、入力媒体を表示画面に接触させる操作全般を含む。すなわち、タッチした入力媒体を所定時間内に表示画面から離間させるタップ操作、タッチした入力媒体を表示画面上で静止させるロングタッチ操作、タッチした入力媒体を表示画面上でスライドさせるスライド操作、表示画面上をスライドする入力媒体の加速度が閾値以上であるフリック操作、表示画面上の異なる位置にタッチした２つの入力媒体を互いに近づける向きにスライドさせるピンチイン操作、表示画面上の異なる位置にタッチした２つの入力媒体を互いに離れる向きにスライドさせるピンチアウト操作等は、タッチの一例である。また、入力媒体とは、ユーザの指であってもよいし、タッチペン等であってもよい。
【００６２】
通信部５５は、移動体通信網或いは無線ＬＡＮを通じて複合機１０或いはサーバ装置７０と通信する。記憶部６２のプログラム記憶領域６２Ａには、ＯＳ６４と、制御プログラム６５とが格納されている。記憶部６２のデータ記憶領域６２Ｂには、図２（Ａ）に示される差出人情報と、図２（Ｂ）に示される直近出力処理情報と、図３に示される写真データとが記憶されている。
【００６３】
差出人情報は、図２（Ａ）に示されるように、互いに対応付けられた基本情報と、付帯情報と、日時情報とを含む。基本情報は、通信物の差出人を特定するための差出人画像の生成に用いられる情報である。付帯情報は、複数の基本情報それぞれに対応付けられた情報である。但し、基本情報“姓”及び“名”のように、付帯情報が対応付けられていない基本情報があってもよい。日時情報は、対応する基本情報が後述する差出人変更処理によって変更された更新日時を示す。すなわち、図２（Ａ）に示される日時情報は、２０１３年１１月２３日に基本情報“住所”が変更され、２０１４年１２月１０日に基本情報“連名１”及び”連名２”が変更されたことを示している。
【００６４】
基本情報は、差出人の姓名及び住所を少なくとも含む。本実施形態における差出人情報は、連名１及び連名２をさらに含む。基本情報の具体例はこれらに限定されず、例えば、電話番号やメールアドレス等を含んでもよい。なお、本実施形態では、基本情報“名”で示される人（以下、「本人」と表記することがある。）が男性であることを前提として説明するが、本人が女性であってもよいことは言うまでもない。
【００６５】
基本情報“住所”に対応付けられた付帯情報は、当該住所を含む地域を示す情報である。地域を示す付帯情報の具体例は特に限定されないが、例えば、“雪国”、“海辺”等の地域の特性を示す情報であってもよいし、“東京都”、“名古屋市”等の行政区画名であってもよい。基本情報“連名”に対応付けられた付帯情報は、当該連名で示される人の続柄と、当該連名で示される人が家族になった日時を示す日時情報とを含む。一例として、図２（Ａ）の連名１“花子”は、２０１４年２月１０日に入籍した“特許太郎”の妻である。他の例として、図２（Ａ）の連名“太一”は、２０１４年９月２９日に生まれた“特許太郎”の子である。
【００６６】
直近出力処理情報は、図２（Ｂ）に示されるように、日時情報と、直近カテゴリタグとを含む。日時情報は、後述する出力処理が直近に実行された日時を示す情報である。直近カテゴリタグは、直近の出力処理で用いられたテンプレート画像データに付加されたカテゴリタグを示す。図２（Ｂ）に示される直近出力処理情報は、直近の出力処理が２０１３年１２月２０日に実行され、当該出力処理で用いられたテンプレート画像データに付加されたカテゴリタグが“ポップ”であることを示す。
【００６７】
写真データは、ユーザによってカメラで撮影された写真を示すデータである。写真データには、写真ＩＤが対応付けられている。写真ＩＤは、対応する写真データを一意に識別する識別情報の一例である。写真データは部品画像データの一例であり、写真データで示される写真は部品画像の一例である。部品画像は、後述するテンプレート画像の部品領域への合成対象になり得る画像である。但し、部品画像データ及び部品画像はこれに限定されず、例えば、イラスト画像を示すイラスト画像データ等であってもよい。
【００６８】
また、各写真データには、日時タグと、地域タグとが付加されている。日時タグは、対応する写真が撮影された日時を示す。地域タグは、対応する写真が撮影された地域を示す。図３の地域タグは緯度及び経度の組み合わせで表されているが、地域の特定方法はこれに限定されず、地域の特性を示す情報であってもよいし、行政区画名であってもよい。日時タグ及び地域タグは、カメラによって自動的に設定されてもよいし、ユーザによって事後的に設定されてもよい。
【００６９】
［サーバ装置７０］
サーバ装置７０は、図４に示されるように、複数のテンプレート画像データを記憶している。テンプレート画像データは、通信物の一例である葉書の通信面に記録されるテンプレート画像を示すものである。また、各テンプレート画像データには、画像ＩＤと、領域情報と、各種タグとが対応付けられている。画像ＩＤは、対応するテンプレート画像データを一意に識別する識別情報の一例である。
【００７０】
領域情報は、部品画像を合成可能なテンプレート画像上の部品領域を示す情報である。部品領域とは、合成対象の画像が合成されるテンプレート画像上の領域である。一例として、領域情報は、中心位置“ｃｅｎｔｅｒ”及び半径“ｒａｄｉｕｓ”で特定される円形状の領域を指す。他の例として、領域情報は、左端位置“ｌｅｆｔ”、上端位置“ｔｏｐ”、右端位置“ｒｉｇｈｔ”、及び下端位置“ｂｏｔｔｏｍ”で特定される矩形状の領域を指す。上記の各位置は、例えば、テンプレート画像の左上端位置を基準として特定される。なお、部品領域の形状及び特定方法は上記の例に限定されない。例えば、３つの頂点の位置によって三角形の部品領域を特定してもよい。
【００７１】
タグは、例えば、カテゴリタグ、イベントタグ、地域タグ、家族タグを等含む。テンプレート画像に付加されるタグには、予め重要度が割り当てられている。本実施形態では、重要度の高い順にイベントタグ、カテゴリタグ、地域タグ、家族タグであるものとする。但し、テンプレート画像に付加されるタグの種類、及び重要度の順番は前述の例に限定されない。
【００７２】
カテゴリタグは、対応するテンプレート画像のデザイン上のカテゴリを示す情報である。本実施形態におけるカテゴリタグは、“シンプル”、“ポップ”、“クール”等のように、テンプレート画像のデザインのテイストを示す値が設定される。カテゴリタグは、全てのテンプレート画像に１つずつ付加されている。
【００７３】
イベントタグは、後述する差出人変更処理で実行可能な差出人情報の変更に関連づけられている。本実施形態におけるイベントタグは、例えば、住所の変更に関連づけられた引越しタグと、本人の姓の変更或いは配偶者の名の追加に関連づけられた結婚タグと、子供の名の追加に関連づけられた出産タグとを含む。引越しタグは、引っ越したことを報知するのに適したテンプレート画像に付加される。結婚タグは、結婚したことを報知するのに適したテンプレート画像に付加される。出産タグは、子供が生まれたことを報知するのに適したテンプレート画像に付加される。イベントタグは、全てのテンプレート画像に付加されていなくてもよい。また、１つのテンプレート画像に付加されるイベントタグは複数であってもよい。
【００７４】
地域タグは、地域を示すものである。地域タグには、例えば基本情報“住所”の付帯情報と同様に、当該地域の特性を示す値、或いは行政区画名等が設定される。地域タグは、当該地域タグで示される地域を連想させるデザインのテンプレート画像に付加される。例えば図４に示されるように、地域タグ“雪国”が付加されたテンプレート画像は、雪だるまの図柄を含んでもよい。地域タグは、全てのテンプレート画像に付加されていなくてもよい。また、１つのテンプレート画像に付加される地域タグは複数であってもよい。
【００７５】
家族タグは、家族構成を示すものである。家族タグは、干支画像を含むテンプレート画像に付加される。干支画像は、家族構成に対応する数及び大きさの干支動物を示す画像である。例えば図４に示されるように、家族タグ“妻”及び“子”が付加されたテンプレート画像は、２匹の大きな羊及び１匹の小さな羊が表された干支画像を含む。すなわち、干支画像に含まれる干支動物の数が家族の人数を表し、大きな干支動物が大人を表し、小さな干支動物が子供を表す。家族タグは、全てのテンプレート画像に付加されていなくてもよい。また、１つのテンプレート画像に付加される家族タグは複数であってもよい。
【００７６】
サーバ装置７０は、携帯端末５０からの要求に応じて、テンプレート画像データ及び当該テンプレート画像データに対応付けられた各種情報を携帯端末５０に送信する。なお、本明細書中の「に応じて」は、当該文字列の前に記載された条件が満たされた場合に、当該文字列の後に記載された処理が実行されることを示す。なお、処理が実行されるタイミングは、条件が満たされた後であればよく、当該条件が満たされた直後である必要は必ずしもない。
【００７７】
なお、図２（Ａ）に示される差出人情報、図２（Ｂ）に示される直近出力処理情報、図３に示される写真データ、及び図４に示されるテンプレート画像データが記憶されている装置は、前述の例に限定されない。例えば、全てが携帯端末５０のデータ記憶領域６２Ｂに記憶されていてもよいし、全てがサーバ装置７０に記憶されていてもよいし、携帯端末５０及びサーバ装置７０に記憶されているデータ及び情報の組み合わせが前述の例と異なっていてもよい。
【００７８】
［記録システム１００の動作］
図５〜図１２を参照して、記録システム１００の動作を説明する。本実施形態に係る記録システム１００は、年賀状の通信面に記録する画像を携帯端末５０で編集し、当該画像を複合機１０が年賀状に記録する処理を実行する。以下、年賀状の通信面に画像を記録する例を説明するが、通信物の具体例は年賀状に限定されず、例えば、暑中見舞い、クリスマスカード、チラシ等にも応用することができる。
【００７９】
まず、携帯端末５０の制御プログラム６５が起動されたことに応じて、メニュー画面が携帯端末５０の表示部５３に表示される。図８（Ａ）は、メニュー画面の一例である。図８（Ａ）に示されるメニュー画面は、年賀状作成画面を表示させる［年賀状作成］アイコン１１１と、年賀状アルバムを表示させる［年賀状アルバム］アイコン１１２と、差出人情報を変更する［差出人変更］アイコン１１３とを含む。
【００８０】
次に、制御プログラム６５は、［差出人変更］アイコン１１３の位置をタップするユーザ操作を操作部５４が受け付けたことに応じて、差出人変更処理を実行する。差出人変更処理は、データ記憶領域６２Ｂに記憶された差出人情報をユーザの指示に従って変更する処理である。図５を参照して、差出人変更処理の詳細を説明する。
【００８１】
まず、制御プログラム６５は、基本情報変更画面を表示部５３に表示させる（Ｓ１１）。図９（Ａ）は、基本情報変更画面の一例である。図９（Ａ）に示される基本情報変更画面は、データ記憶領域６２Ｂに記憶された基本情報が表示されたテキストボックスと、［完了］アイコンとを含む。そして、制御プログラム６５は、テキストボックスに表示された基本情報を変更するユーザ操作を操作部５４を通じて受付可能な状態で待機する（Ｓ１２）。具体的には、ユーザは、不図示のソフトウェアキーボード等を通じてテキストボックスに表示された基本情報の変更することができる。ステップＳ１１、Ｓ１２の処理は、第１変更処理の一例である。
【００８２】
次に、制御プログラム６５は、基本情報の変更を指示するユーザ操作を操作部５４が受け付けたことに応じて（Ｓ１２：Ｙｅｓ）、付帯情報入力画面を表示部５３に表示させる（Ｓ１３）。図９（Ｂ）は、基本情報“連名”が新たに追加されたことに応じて表示される付帯情報入力画面の一例である。図９（Ｂ）に示される付帯情報入力画面は、続柄を選択するラジオボタンと、選択された続柄に対応する日時情報の入力を受け付けるテキストボックスと、［完了］アイコンとを含む。
【００８３】
そして、制御プログラム６５は、付帯情報の入力を指示するユーザ操作を操作部５４を通じて受付可能な状態で待機する（Ｓ１４）。具体的には、ユーザは、ラジオボタンの位置をタップすることによって続柄を選択し、不図示のソフトウェアキーボード等を通じてテキストボックスに日時情報を入力することができる。ステップＳ１３、Ｓ１４の処理は、第２変更処理の一例である。
【００８４】
次に、制御プログラム６５は、付帯情報入力画面の［完了］アイコンの位置をタップするユーザ操作を操作部５４が受け付けたことに応じて（Ｓ１４：Ｙｅｓ）、ステップＳ１２で変更された基本情報と、ステップＳ１４で入力された付帯情報とを対応付けて、データ記憶領域６２Ｂに記憶させる（Ｓ１５）。換言すれば、制御プログラム６５は、ステップＳ１２、Ｓ１４で入力された基本情報及び付帯情報で、データ記憶領域６２Ｂに記憶された差出人情報を更新する。そして、ステップＳ１１〜Ｓ１５の処理は、基本情報変更画面の［完了］アイコンの位置をタップするユーザ操作を操作部５４が受け付けるまで繰り返し実行される。
【００８５】
また、制御プログラム６５は、［年賀状作成］アイコン１１１の位置をタップするユーザ操作を操作部５４が受け付けたことに応じて、年賀状作成画面を表示部５３に表示させる。図８（Ｂ）は、年賀状作成画面の一例である。図８（Ｂ）に示される年賀状作成画面は、通信面に記録する通信面画像を編集する処理を実行させる通信面編集アイコン１１４と、宛名面に記録する宛名面画像を編集する処理を実行させる宛名面編集アイコン１１５とを含む。
【００８６】
次に、制御プログラム６５は、通信面編集アイコン１１４の位置をタップするユーザ操作を操作部５４が受け付けたことに応じて、通信面記録処理を実行する。通信面記録処理は、年賀状の通信面に記録する通信面画像をユーザの指示に従って編集し、年賀状の通信面に対して当該通信面画像を複合機１０に記録させる処理である。図６を参照して、通信面記録処理の詳細を説明する。
【００８７】
まず、制御プログラム６５は、タグ抽出処理を実行する（Ｓ２１）。タグ抽出処理は、データ記憶領域６２Ｂに記憶された差出人情報及び直近出力処理情報等に基づいて、後述するテンプレートアイコン及び部品アイコンの並び替えに用いられる各種タグを抽出する処理である。具体的には、直近の出力処理の後の差出人変更処理で実行された差出人情報の変更に関連づけられたイベントタグ（以下、「特定タグ」と表記する。）、地域タグ、日時タグ、直近カテゴリタグ等が抽出される。図７を参照して、タグ抽出処理の詳細を説明する。
【００８８】
制御プログラム６５は、差出人情報に含まれる基本情報“住所”が変更されたか否かを判断する（Ｓ３１）。制御プログラム６５は、例えば、基本情報“住所”に対応する日時情報と、直近出力処理情報の日時情報とを比較すればよい。そして、制御プログラム６５は、基本情報“住所”の更新日時が直近出力処理情報の日時情報より後であることに応じて（Ｓ３１：Ｙｅｓ）、特定タグとして引越しタグを抽出する（Ｓ３２）。また、制御プログラム６５は、基本情報“住所”に対応する付帯情報を地域タグとして抽出する（Ｓ３３）。一方、制御プログラム６５は、基本情報“住所”の更新日時が直近出力処理情報の日時情報以前であることに応じて（Ｓ３１：Ｎｏ）、ステップＳ３２、Ｓ３３の処理をスキップする。
【００８９】
次に、制御プログラム６５は、基本情報“連名”が追加されたか否かを判断する（Ｓ３４）。制御プログラム６５は、例えば、基本情報“連名”に対応する日時情報と、直近出力処理情報の日時情報とを比較すればよい。そして、制御プログラム６５は、基本情報“連名”の更新日時が直近出力処理情報の日時情報より後であることに応じて（Ｓ３４：Ｙｅｓ）、基本情報“連名”に対応する付帯情報“続柄”を判断する（Ｓ３５）。一方、制御プログラム６５は、基本情報“連名”の更新日時が直近出力処理情報の日時情報以前であることに応じて（Ｓ３４：Ｎｏ）、ステップＳ３５〜Ｓ４１の処理をスキップする。なお、ステップＳ３４〜Ｓ４１の処理は、差出人情報に含まれる全ての基本情報“連名”に対して実行される。
【００９０】
次に、制御プログラム６５は、基本情報“連名”の続柄が“妻”であることに応じて（Ｓ３５：妻）、特定タグとして結婚タグを抽出する（Ｓ３６）。また、制御プログラム６５は、付帯情報“入籍日”を日時タグとして抽出する（Ｓ３７）。さらに、制御プログラム６５は、続柄“妻”を家族タグとして抽出する（Ｓ３８）。また、制御プログラム６５は、基本情報“連名”の続柄が“子”であることに応じて（Ｓ３５：子）、特定タグとして出産タグを抽出する（Ｓ３９）。また、制御プログラム６５は、付帯情報“出産日”を日時タグとして抽出する（Ｓ４０）。さらに、制御プログラム６５は、続柄“子”を家族タグとして抽出する（Ｓ４１）。
【００９１】
次に、制御プログラム６５は、直近出力処理情報に直近カテゴリタグが含まれていることに応じて（Ｓ４２：Ｙｅｓ）、当該直近カテゴリタグを抽出する（Ｓ４３）。一方、制御プログラム６５は、直近出力処理情報に直近カテゴリタグが含まれていないことに応じて（Ｓ４２：Ｎｏ）、ステップＳ４３の処理をスキップする。そして、制御プログラム６５は、タグ抽出処理を終了する。なお、ステップＳ３１〜Ｓ４３の実行順序は、図７の例に限定されない。
【００９２】
なお、図２に示される差出人情報及び直近出力処理情報がデータ記憶領域６２Ｂに記憶された状態でタグ抽出処理が実行された場合、制御プログラム６５は、特定タグ“結婚タグ”、日時タグ“２０１４．０２．１０”、家族タグ“妻”、特定タグ“出産タグ”、日時タグ“２０１４．０９．２９”、家族タグ“子”、直近カテゴリタグ“ポップ”を抽出する。これらのタグが抽出されたものとして、以降の処理を説明する。
【００９３】
図６に戻って、制御プログラム６５は、テンプレート選択画面を表示部５３に表示させる（Ｓ２２）。図１０（Ａ）は、テンプレート選択画面の一例である。図１０（Ａ）に示されるテンプレート選択画面は、複数のテンプレートアイコン１１６、１１７、１１８を含む。そして、制御プログラム６５は、テンプレートアイコン１１６〜１１８の１つを選択するユーザ操作を操作部５４を通じて受付可能な状態で待機する（Ｓ２３）。ステップＳ２２、Ｓ２３の処理は、テンプレート選択処理の一例である。また、テンプレートアイコンは、テンプレートオブジェクトの一例である。
【００９４】
テンプレートアイコンは、サーバ装置７０に記憶されたテンプレート画像を示す画像である。テンプレートアイコンは、対応するテンプレート画像の画像サイズや解像度を削減した、所謂サムネイル画像であってもよい。なお、制御プログラム６５は、テンプレートアイコン１１６〜１１８を示す画像データを通信部５５を通じてサーバ装置７０から受信してもよいし、通信部５５を通じてサーバ装置７０から受信したテンプレート画像データを用いてテンプレートアイコン１１６〜１１８を生成してもよい。
【００９５】
図１０（Ａ）の例において、テンプレートアイコン１１６は画像ＩＤ“０１”のテンプレート画像に対応し、テンプレートアイコン１１７は画像ＩＤ“０３”のテンプレート画像に対応し、テンプレートアイコン１１８は画像ＩＤ“０４”のテンプレート画像に対応する。一方、図１０（Ａ）に示されるテンプレート選択画面には、画像ＩＤ“０２”に対応するテンプレートアイコンが表示されない。制御プログラム６５は、テンプレート選択画面に含めるテンプレートアイコン１１６〜１１８、及びテンプレート選択画面上におけるテンプレートアイコン１１６〜１１８の並び順を、タグ抽出処理で抽出したタグに基づいて決定する。
【００９６】
まず、制御プログラム６５は、抽出した特定タグが付加されたテンプレート画像に対応するテンプレートアイコンをテンプレート選択画面に表示し、抽出した特定タグが付加されていないテンプレート画像に対応するテンプレートアイコンをテンプレート選択画面に表示しないと決定する。なお、抽出した特定タグとテンプレート画像に付加されたイベントタグとは、完全一致に限定されず、一部一致であってもよい。
【００９７】
これにより、画像ＩＤ“０１”、“０３”、“０４”のテンプレート画像に対応するテンプレートアイコン１１６〜１１８がテンプレート選択画面に表示され、画像ＩＤ“０２”のテンプレート画像に対応するテンプレートアイコンがテンプレート表示画面に表示されない。特定タグが付加されたテンプレート画像に対応するテンプレートアイコン１１６〜１１８のみをテンプレート選択画面に表示することは、当該テンプレートアイコンの優先表示の一態様である。
【００９８】
次に、制御プログラム６５は、付加された特定タグの数が相対的に多いテンプレート画像に対応するテンプレートアイコン１１６の並び順を、付加された特定タグの数が相対的に少ないテンプレート画像に対応するテンプレートアイコン１１７、１１８より前にする。付加されたタグの数が多いテンプレート画像に対応するテンプレートアイコンの並び順を前にすることは、当該テンプレートアイコンの優先表示の一態様である。
【００９９】
次に、制御プログラム６５は、直近カテゴリタグが付加されたテンプレート画像に対応するテンプレートアイコン１１７の並び順を、直近カテゴリタグと異なるカテゴリタグが付加されたテンプレート画像に対応するテンプレートアイコン１１８より前にする。以下同様に、割り当てられた優先度が高い順に、当該タグが付加されているか否かに応じてテンプレートアイコンの表示順序を決定すればよい。あるタグが付加されたテンプレート画像に対応するテンプレートアイコンの並び順を前にすることは、当該テンプレートアイコンの優先表示の一態様である。
【０１００】
次に、制御プログラム６５は、テンプレートアイコンの位置をタップするユーザ操作を操作部５４が受け付けたことに応じて（Ｓ２３：Ｙｅｓ）、テンプレート編集画面を表示部５３に表示させる（Ｓ２４）。そして、制御プログラム６５は、テンプレート編集画面に対するユーザ操作を操作部５４を通じて受付可能な状態で待機する（Ｓ２５）。ステップＳ２４、Ｓ２５の処理は、編集処理に含まれる第１プレビュー処理の一例である。
【０１０１】
図１１（Ａ）は、テンプレートアイコン１１６が選択されたことに応じて表示されるテンプレート編集画面の一例である。図１１（Ａ）に示されるテンプレート編集画面は、テンプレート画像１１９と、［プリント］アイコンとを含む。テンプレート画像１１９は、領域指示アイコン１２０と、差出人画像１２１とを含む。テンプレート画像１１９は、ステップＳ２３で選択されたテンプレートアイコンに対応する。領域指示アイコン１２０は、領域情報で示される部品領域の位置を示す。本実施形態に係る領域指示アイコン１３０は、ハッチングされた円形状である。差出人画像１２１は、データ記憶領域６２Ｂに記憶された差出人情報に含まれる基本情報を所定のレイアウトに従って配置することによって生成される。
【０１０２】
制御プログラム６５は、ステップＳ２４において、タッチ位置のテンプレートアイコン１１６に対応する画像ＩＤ“０１”のテンプレート画像データ及び領域情報を、通信部５５を通じてサーバ装置７０から受信する。次に、制御プログラム６５は、受信したテンプレート画像データで示されるテンプレート画像１１９に、領域指示アイコン１２０及び差出人画像１２１を合成する。そして、制御プログラム６５は、領域指示アイコン１２０及び差出人画像１２１が合成されたテンプレート画像１１９を含むテンプレート編集画面を表示部５３に表示させる。
【０１０３】
次に、制御プログラム６５は、領域指示アイコン１２０の位置をタップするユーザ操作を操作部５４が受け付けたことに応じて（Ｓ２５：領域指示アイコン）、部品画像選択画面を表示部５３に表示させる。図１０（Ｂ）は、部品画像選択画面の一例である。図１０（Ｂ）に示される部品画像選択画面は、部品アイコン１２２、１２３、１２４、１２５、１２６を含む。そして、制御プログラム６５は、部品画像選択画面に対するユーザ操作を操作部５４を通じて受付可能な状態で待機する（Ｓ２７）。ステップＳ２６、Ｓ２７の処理は、編集処理に含まれる部品選択処理の一例である。また、部品アイコンは、部品オブジェクトの一例である。
【０１０４】
部品アイコン１２２〜１２６は、データ記憶領域６２Ｂに記憶された写真データで示される写真に対応する。部品アイコン１２２〜１２６は、対応する写真の画像サイズや解像度を削減した、所謂サムネイル画像であってもよい。具体的には、部品アイコン１２２は写真ＩＤ“０４”の写真に対応し、部品アイコン１２３は写真ＩＤ“０５”の写真に対応し、部品アイコン１２４は写真ＩＤ“０６”の写真に対応し、部品アイコン１２５は写真ＩＤ“０２”の写真に対応し、部品アイコン１２６は写真ＩＤ“０３”の写真に対応する。一方、図１０（Ｂ）に示される部品画像選択画面には、画像ＩＤ“０１”の写真に対応する部品アイコンが表示されない。制御プログラム６５は、部品画像選択画面に含める部品アイコン１２２〜１２６、及び部品画像選択画面上における部品アイコン１２２〜１２６の並び順を、タグ抽出処理で抽出した日時タグに基づいて決定する。
【０１０５】
まず、制御プログラム６５は、抽出した日時タグで示される日時以降に撮影された写真に対応する部品アイコン１２２〜１２６を部品画像選択画面に表示させ、抽出した日時タグで示される日時より前に撮影された写真に対応する部品アイコンを部品画像選択画面に表示させない。これにより、抽出した日時タグ“２０１４．０２．１０”、“２０１４．０９．２９”以降に撮影された写真ＩＤ“０２”〜“０６”の写真に対応する部品アイコン１２２〜１２６が部品画像選択画面に表示され、抽出した日時タグ“２０１４．０２．１０”、“２０１４．０９．２９”より前に撮影された写真ＩＤ“０１”の写真に対応する部品アイコンが部品画像選択画面に表示されない。
【０１０６】
次に、制御プログラム６５は、日時タグ“２０１４．０２．１０”、“２０１４．０９．２９”以降に撮影された写真ＩＤ“０４”〜“０６”の写真に対応する部品アイコン１２２〜１２４の並び順を、日時タグ“２０１４．０２．１０”以降で且つ日時タグ“２０１４．０９．２９”より前に撮影された写真ＩＤ“０２”、“０３”の写真に対応する部品アイコン１２５、１２６より前に決定する。また、制御プログラム６５は、部品アイコン１２２〜１２４の並び順を、日時タグ“２０１４．０９．２９”に撮影日時が近い部品アイコン１２２、１２３、１２４の順に決定する。さらに、制御プログラム６５は、部品アイコン１２５、１２６の並び順を、日時タグ“２０１４．０２．１０”に撮影日時が近い部品アイコン１２５、１２６の順に決定する。
【０１０７】
ここで、日時タグは、家族構成が実際に変更された日時を示すものである。すなわち、制御プログラム６５は、家族構成が実際に変更された日時以降の部品アイコンのみを部品画像選択画面に表示させ、且つ家族構成が実際に変更された日時に近い部品アイコンの並び順を前にする。日時タグで示される日時以降に撮影された写真に対応する部品アイコン１２２〜１２６のみを部品画像選択画面に表示することは、当該部品アイコンの優先表示の一態様である。また、日時タグで示される日時に撮影日が近い写真に対応する部品アイコンの並び順を前にすることは、当該部品アイコンの優先表示の一態様である。
【０１０８】
次に、制御プログラム６５は、部品アイコン１２２〜１２６の位置をタップするユーザ操作を操作部５４が受け付けたことに応じて（Ｓ２７：Ｙｅｓ）、当該部品アイコンに対応する写真である部品画像１２７を、テンプレート画像１１９の部品領域に合成する（Ｓ２８）。そして、制御プログラム６５は、部品画像１２７が合成されたテンプレート画像１１９を含むテンプレート編集画面を再び表示部５３に表示させ、当該テンプレート編集画面に対するユーザ操作を操作部５４を通じて受付可能な状態で待機する（Ｓ２５）。ステップＳ２８、Ｓ２５の処理は、編集処理に含まれる第２プレビュー処理の一例である。部品アイコン１２４が選択されたものとして、以降の処理を説明する。
【０１０９】
制御プログラム６５は、ステップＳ２８において、部品アイコン１２４に対応する写真ＩＤ“０６”の写真データをデータ記憶領域６２Ｂから取得する。次に、制御プログラム６５は、当該写真データで示される写真を部品領域の大きさに拡大、縮小、或いはクロッピングして部品画像１２７を生成する。次に、制御プログラム６５は、テンプレート画像１１９の領域指示アイコン１２０の位置に部品画像１２７を合成する。そして、制御プログラム６５は、図１１（Ｂ）に示されるように、部品画像１２７が合成されたテンプレート画像１１９を含むテンプレート編集画面を再び表示部５３に表示させる。部品画像１２７が合成されたテンプレート画像１１９は、出力画像の一例である。
【０１１０】
また、制御プログラム６５は、［プリント］アイコンの位置をタップするユーザ操作を操作部５４が受け付けたことに応じて（Ｓ２５：［プリント］アイコン）、通信部５５を通じて複合機１０に記録指示情報を送信する（Ｓ２９）。そして、複合機１０の制御プログラム３５は、通信部２５を通じて携帯端末５０から記録指示情報を受信したことに応じて、当該記録指示情報に従った記録処理をプリンタ部１１に実行させる。
【０１１１】
記録指示情報は、記録処理の実行を複合機１０に指示するための情報である。記録指示情報は、出力画像を示す出力画像データを含む。なお、出力画像データは、例えば、ＪＰＥＧ等の画像ファイルであってもよいし、プリンタ部１１による記録処理に適した印刷データであってもよい。また、ステップＳ２１における画像データの出力先は、複合機１０に限定されず、データ記憶領域６２Ｂ或いはサーバ装置７０等であってもよい。
【０１１２】
次に、制御プログラム６５は、データ記憶領域６２Ｂに記憶された直近出力処理情報を更新する（Ｓ３０）。すなわち、制御プログラム６５は、日時情報に現在日時を設定し、直近カテゴリタグにテンプレート画像１１９に付加されたカテゴリタグを設定する。ステップＳ２９、Ｓ３０の処理は、出力処理の一例である。そして、制御プログラム６５は、通信面記録処理を終了する。
【０１１３】
［本実施形態の作用効果］
上記の実施形態によれば、差出人情報の変更内容から推定されるユーザの状況に適したテンプレート画像が選択されやすくなる。その結果、多数のテンプレート画像の中から所望のテンプレート画像を簡単に選択させることができる。一例として、住所が変更されたことに応じて、引っ越したことを伝えるのに適したテンプレート画像を選択されやすくすればよい。他の例として、本人の姓が変更されたこと或いは配偶者の連名が追加されたことに応じて、結婚したことを伝えるのに適したテンプレート画像を選択されやすくすればよい。さらに他の例として、子の連名が追加されたことに応じて、子供が生まれたことを伝えるのに適したテンプレート画像を選択されやすくすればよい。
【０１１４】
また、上記の実施形態において、差出人に家族が増えた場合には、抽出された家族タグが付加されたテンプレート画像が選択されやすくなるので、干支画像によって家族構成の変更を伝えることができる。また、他の例として、差出人が引っ越した場合には、抽出された地域タグが付加されたテンプレート画像が選択されやすくなるので、当該地域を連想させる画像によって引越し先を伝えることができる。
【０１１５】
また、上記の実施形態では、直近カテゴリタグが付加されたテンプレート画像が選択されやすくなる。当該プログラムを繰り返し利用するユーザは、毎回同じようなデザインのテンプレート画像を選択する傾向がある。そこで、前回と同じカテゴリのテンプレートアイコンを優先表示することにより、所望のテンプレート画像を選択されやすくできる。
【０１１６】
また、付加された特定タグの数が多いテンプレート画像に対応するテンプレートアイコンを優先表示することにより、ユーザに起こった複数のイベントを伝えるのに適したテンプレート画像が選択されやすくなる。さらに、テンプレートアイコンの並び順を決定するために、重要度の高いタグから順に用いることにより、ユーザにとって重要なイベントを伝えるのに適したテンプレート画像が選択されやすくなる。各タグの重要度は、予め割り当てられていてもよいし、ユーザによって任意に割り当てられてもよい。
【０１１７】
なお、上記の実施形態における重要度は、タグの種類（例えば、イベントタグ、カテゴリタグ、地域タグ、家族タグ等）の重要度の高低を示すものである。この場合、抽出された特定タグに応じて、各タグの重要度の高低が入れ替えられてもよい。一例として、引っ越しタグが特定タグとして抽出された場合、地域タグの重要度を家族タグより高くしてもよい。他の例として、結婚タグ或いは出産タグが特定タグとして抽出された場合、家族タグの重要度を地域タグより高くしてもよい。
【０１１８】
また、重要度の他の例として、イベントタグに分類される複数のタグ（例えば、引越しタグ、結婚タグ、出産タグ等）の重要度の高低を示すものであってもよい。例えば、重要度の高い順に結婚タグ、出産タグ、引越しタグであり、且つ結婚タグ及び出産タグが特定タグとして抽出された場合、図４のテンプレート画像に対応するテンプレートアイコンの並び順は、画像ＩＤ“０１”、“０４”、“０３”、“０２”の順になる。
【０１１９】
また、上記の実施形態によれば、抽出された日時タグで示される日時以降の部品アイコンが優先表示されるので、家族構成が変更された後に撮影された写真を簡単に選択させることができる。また、他の例として、抽出された地域タグが付加された部品画像データに対応する部品アイコンを優先表示してもよい。この場合、引越先で撮影した写真、或いは引越先を連想させるイラスト等を簡単に選択させることができる。
【０１２０】
また、上記の実施形態における差出人情報変更処理によれば、優先表示させるテンプレート画像を決定するための情報を効率良く収集することができる。なお、上記の実施形態では、基本情報の変更を受け付けた後で、変更された基本情報に対応する付帯情報の入力を受け付ける例を説明した。但し、差出人情報変更処理における各種情報の受付順序はこれに限定されない。図１２及び図１３を参照して、変形例に係る差出人情報変更処理の詳細を説明する。但し、上記の実施形態との共通点の詳しい説明は省略し、相違点を中心に説明する。
【０１２１】
まず、変形例に係るデータ記憶領域６２Ｂには、図１２に示されるように、イベント識別情報と、変更すべき差出人情報とが対応付けて記憶されている。イベント識別情報はイベントを示す情報であって、図１２の例では“引越し”、“結婚”、“出産”が該当する。変更すべき差出人情報とは、対応するイベント識別情報が選択された場合に、変更されるべき差出人情報を示す。
【０１２２】
変形例に係る制御プログラム６５は、メニュー画面の［差出人変更］アイコンの位置をタップするユーザ操作を操作部５４が受け付けたことに応じて、イベント選択画面を表示部５３に表示させる。イベント選択画面は、一覧表示されたイベント識別情報の１つをユーザに選択させるための画面である。そして、制御プログラム６５は、イベント選択画面に対するユーザ操作を操作部５４を通じて受付可能な状態で待機する。これらの処理は、イベント選択処理の一例である。
【０１２３】
図１３（Ａ）は、イベント選択画面の一例である。図１３（Ａ）に示されるイベント選択画面は、データ記憶領域６２Ｂに記憶されたイベント識別情報の１つを選択させるための複数のラジオボタンと、［次へ］アイコンとを含む。すなわち、イベント選択画面には、一対一に対応付けられたイベント識別情報及びラジオボタンが表示されている。そして、複数のラジオボタンのうちの１つが選択されることによって、当該ラジオボタンに対応するイベント識別情報が選択されることになる。
【０１２４】
次に、制御プログラム６５は、［次へ］アイコンの位置をタップするユーザ操作を操作部５４が受け付けたことに応じて、基本情報変更画面を表示部５３に表示させる。変形例に係る基本情報変更画面は、選択されたイベント識別情報に対応する基本情報の変更を受け付けるための画面である。そして、制御プログラム６５は、基本情報変更画面に対するユーザ操作を操作部５４を通じて受付可能な状態で待機する。これらの処理は、変更受付処理の一例である。
【０１２５】
図１３（Ｂ）は、イベント識別情報“引越し”が選択されたことに応じて表示される基本情報変更画面の一例である。図１３（Ｂ）に示される基本情報変更画面は、引越し先の郵便番号及び住所の入力を受け付けるためのテキストボックスと、［完了］アイコンとを含む。ユーザは、引越し先の郵便番号及び住所を、不図示のソフトウェアキーボード等を通じてテキストボックスに入力することができる。
【０１２６】
そして、制御プログラム６５は、［完了］アイコンの位置をタップするユーザ操作を操作部５４が受け付けたことに応じて、イベント選択画面で選択されたイベント識別情報と、基本情報変更画面を通じて受け付けた変更後の基本情報とを対応付けて、差出人情報を更新する。また、制御プログラム６５は、タグ抽出処理において、差出人情報に含まれるイベント識別情報に対応するイベントタグを、特定タグとして抽出する。例えば、イベント識別情報“引越し”には引越しタグが対応し、イベント識別情報“結婚”には結婚タグが対応し、イベント識別情報“出産”には出産タグが対応する。なお、変更後の基本情報と共に差出人情報に記憶されるのは、イベント識別情報に限定されず、イベント識別情報に対応するイベントタグ（すなわち、特定タグ）であってもよい。
【０１２７】
さらに、テンプレートアイコン及び部品アイコンの表示態様を変更するために参照する情報は、差出人情報に限定されず、例えば宛先情報であってもよい。宛先情報は、通信物の宛先を示す情報である。宛先情報は、携帯端末５０のデータ記憶領域６２Ｂ、或いはサーバ装置７０に記憶されている。また、制御プログラム６５は、宛先情報の変更を受け付ける宛先変更処理を実行することができる。そして、制御プログラム６５は、差出人情報の場合と同様に、直近の出力処理の後に宛先変更処理が実行された場合と、直近の出力処理の後に宛先変更処理が実行されていない場合とで、テンプレートアイコンの表示態様を異ならせてもよい。
【０１２８】
なお、宛先変更処理は、差出人変更処理と同様に、表示部５３及び操作部５４を用いて実行されてもよい。他の例として、宛先変更処理は、スキャナ部１２を用いて実行されてもよい。まず、制御プログラム６５は、受領した年賀状に記録された通信物画像をスキャナ部１２に読み取らせる。次に、制御プログラム６５は、当該年賀状の差出人を示す情報を、通信物画像を示す通信物画像データから抽出する。そして、制御プログラム６５は、抽出した情報で宛先情報を変更すればよい。
【０１２９】
なお、前述した差出人変更処理、通信面記録処理、及びタグ抽出処理を実行するのは携帯端末５０の制御プログラム６５に限定されない。例えば、上記の各処理の一部又は全部を複合機１０の制御プログラム３５に実行させてもよい。
【０１３０】
また、各実施形態の複合機１０及び携帯端末５０において、記憶部３２、６２のプログラム記憶領域３２Ａ、６２Ａに記憶された各種プログラムがＣＰＵ３１、６１によって実行されることによって、本発明の制御部が実行する各処理が実現される例を説明した。しかしながら、制御部の構成はこれに限定されず、その一部又は全部を集積回路（ＩＣ（Ｉｎｔｅｇｒａｔｅｄ  Ｃｉｒｃｕｉｔの略）とも言う。）等のハードウェアで実現してもよい。
【０１３１】
さらに、本発明は、複合機１０或いは携帯端末５０として実現できるだけでなく、複合機１０或いは携帯端末５０に処理を実行させるプログラムとして実現してもよい。そして、当該プログラムは、ｎｏｎ−ｔｒａｎｓｉｔｏｒｙな記録媒体に記録されて提供されてもよい。ｎｏｎ−ｔｒａｎｓｉｔｏｒｙな記録媒体は、ＣＤ−ＲＯＭ、ＤＶＤ−ＲＯＭ等の他、通信ネットワーク１０２を介して複合機１０或いは携帯端末５０に接続可能なサーバ装置に搭載された記憶部を含んでもよい。そして、サーバ装置の記憶部に記憶されたプログラムは、当該プログラムを示す情報或いは信号として、インターネット等の通信ネットワーク１０２を介して配信されてもよい。
【符号の説明】
【０１３２】
１０・・・複合機
１１・・・プリンタ部
１２・・・スキャナ部
５０・・・携帯端末
５３・・・表示部
５４・・・操作部
２５，５５・・・通信部
３１，６１・・・ＣＰＵ
３２，６２・・・記憶部
３５，６５・・・制御プログラム
【図１】
0006394270.tif 000002
【図２】
0006394270.tif 000003
【図３】
0006394270.tif 000004
【図４】
0006394270.tif 000005
【図５】
0006394270.tif 000006
【図６】
0006394270.tif 000007
【図７】
0006394270.tif 000008
【図８】
0006394270.tif 000009
【図９】
0006394270.tif 000010
【図１０】
0006394270.tif 000011
【図１１】
0006394270.tif 000012
【図１２】
0006394270.tif 000013
【図１３】
0006394270.tif 000014